(57)【要約】撮影プランの策定を容易にする撮影評価マップ、撮影評価マップ生成装置、撮影評価マップ生成方法及び撮影評価マップ生成プログラムを提供する。被写体を含む座標空間を設定する座標空間設定部（３１）と、座標空間内で複数の撮影候補位置を設定する撮影候補位置設定部（３２）と、被写体の撮影条件を設定する撮影条件設定部（３３）と、被写体に複数の特徴部位を設定する特徴部位設定部（３４）と、撮影候補位置及び撮影条件に基づく撮影の評価基準を特徴部位ごとに設定する評価基準設定部（３５）と、撮影候補位置設定部（３２）で設定された撮影候補位置から撮影条件設定部（３３）で設定された撮影条件で被写体を撮影した場合の撮影の評価を表わす評価値を撮影候補位置ごとに算出する評価値算出部（３６）と、評価値が撮影候補位置ごとに定められた撮影評価マップを生成する撮影評価マップ生成部（３７）と、を備える。評価値算出部（３６）は、撮影候補位置ごとの評価値を算出する際、評価基準に従って特徴部位ごとに個別評価値を算出し、得られた特徴部位ごとの個別評価値の総和を評価値として算出する。
2019171823.tif 000002
【特許請求の範囲】
【請求項１】
被写体を含む座標空間を設定する座標空間設定部と、
前記座標空間内で複数の撮影候補位置を設定する撮影候補位置設定部と、
前記被写体の撮影条件を設定する撮影条件設定部と、
前記被写体に複数の特徴部位を設定する特徴部位設定部と、
前記撮影候補位置及び前記撮影条件に基づく撮影の評価基準を前記特徴部位ごとに設定する評価基準設定部と、
前記撮影候補位置設定部で設定された前記撮影候補位置から前記撮影条件設定部で設定された前記撮影条件で前記被写体を撮影した場合の撮影の評価を表わす評価値を前記撮影候補位置ごとに算出する評価値算出部と、
前記評価値が前記撮影候補位置ごとに定められた撮影評価マップを生成する撮影評価マップ生成部と、
を備え、
前記評価値算出部は、前記撮影候補位置ごとの前記評価値を算出する際、前記評価基準に従って前記特徴部位ごとに個別評価値を算出し、得られた前記特徴部位ごとの前記個別評価値の総和を前記評価値として算出する、
撮影評価マップ生成装置。
【請求項２】
前記評価基準が、位置及び撮影条件をパラメータとする評価関数で規定される、
請求項１に記載の撮影評価マップ生成装置。
【請求項３】
前記撮影条件設定部は、複数の前記撮影条件を設定し、
前記評価値算出部は、前記撮影候補位置及び前記撮影条件ごとに前記評価値を算出し、
前記撮影評価マップ生成部は、前記評価値が、複数の前記撮影候補位置について、複数の前記撮影条件ごとに定められた前記撮影評価マップを生成する、
請求項１又は２に記載の撮影評価マップ生成装置。
【請求項４】
前記撮影条件設定部は、少なくとも撮影方向を変えた複数の前記撮影条件を設定する、
請求項３に記載の撮影評価マップ生成装置。
【請求項５】
前記撮影条件設定部は、少なくとも撮影画角を変えた複数の前記撮影条件を設定する、
請求項３又は４に記載の撮影評価マップ生成装置。
【請求項６】
前記撮影条件設定部は、少なくとも記録画素数を変えた複数の前記撮影条件を設定する、
請求項３から５のいずれか１項に記載の撮影評価マップ生成装置。
【請求項７】
前記撮影条件設定部は、少なくとも露出補正量を変えた複数の前記撮影条件を設定する、
請求項３から６のいずれか１項に記載の撮影評価マップ生成装置。
【請求項８】
前記撮影条件設定部は、少なくともフレームレートを変えた複数の前記撮影条件を設定する、
請求項３から７のいずれか１項に記載の撮影評価マップ生成装置。
【請求項９】
前記特徴部位を前記座標空間での位置及び方位で特定する、
請求項１から８のいずれか１項に記載の撮影評価マップ生成装置。
【請求項１０】
前記特徴部位設定部は、前記被写体の頂点及び／又は稜線を前記特徴部位として設定する、
請求項１から９のいずれか１項に記載の撮影評価マップ生成装置。
【請求項１１】
構造物を前記被写体とする場合において、前記特徴部位設定部は、前記構造物の表面の劣化部位を更に前記特徴部位として設定する、
請求項１０に記載の撮影評価マップ生成装置。
【請求項１２】
前記構造物の表面の汚れ及び／又はひび割れを前記劣化部位とする、
請求項１１に記載の撮影評価マップ生成装置。
【請求項１３】
前記特徴部位ごとに重みを設定する重み設定部を更に備え、
前記評価値算出部は、前記撮影候補位置ごとの前記評価値を算出する際、得られた前記特徴部位ごとの前記個別評価値に前記重みを乗じた総和を前記評価値として算出する、
請求項１から１２のいずれか１項に記載の撮影評価マップ生成装置。
【請求項１４】
構造物の表面の劣化部位を前記特徴部位とする場合において、前記重み設定部は、前記劣化部位に対して相対的に高い重みを付与する、
請求項１３に記載の撮影評価マップ生成装置。
【請求項１５】
複数の前記特徴部位の中から注目部位を選択する注目部位選択部を更に備え、
前記重み設定部は、前記注目部位に対して相対的に高い重みを付与する、
請求項１３又は１４に記載の撮影評価マップ生成装置。
【請求項１６】
前記被写体を複数の視点から撮影した複数の画像を取得する被写体画像取得部と、
取得された複数の画像に基づいて、前記被写体の三次元モデルを生成する三次元モデル生成部と、
を更に備え、
前記座標空間設定部は、前記三次元モデル生成部で生成された前記被写体の前記三次元モデルに基づいて、前記座標空間を設定する、
請求項１から１５のいずれか１項に記載の撮影評価マップ生成装置。
【請求項１７】
前記特徴部位設定部は、前記三次元モデル生成部で生成された前記被写体の前記三次元モデルに基づいて、前記特徴部位を設定する、
請求項１６に記載の撮影評価マップ生成装置。
【請求項１８】
前記評価基準設定部は、前記三次元モデル生成部で生成された前記被写体の前記三次元モデルに基づいて、前記特徴部位ごとに前記評価基準を設定する、
請求項１７に記載の撮影評価マップ生成装置。
【請求項１９】
被写体を含む座標空間を設定するステップと、
前記座標空間内で複数の撮影候補位置を設定するステップと、
前記被写体の撮影条件を設定するステップと、
前記被写体に複数の特徴部位を設定するステップと、
前記撮影候補位置及び前記撮影条件に基づく撮影の評価基準を前記特徴部位ごとに設定するステップと、
設定された前記撮影候補位置から設定された前記撮影条件で前記被写体を撮影した場合の撮影の評価を表わす評価値を前記撮影候補位置ごとに算出するステップと、
前記評価値が前記撮影候補位置ごとに定められた撮影評価マップを生成するステップと、
を含む評価マップ生成方法であって、
前記撮影候補位置ごとの前記評価値を算出するステップは、前記評価基準に従って前記特徴部位ごとに個別評価値を算出し、得られた前記特徴部位ごとの前記個別評価値の総和を前記評価値として算出する、
撮影評価マップ生成方法。
【請求項２０】
被写体を含む座標空間を設定する機能と、
前記座標空間内で複数の撮影候補位置を設定する機能と、
前記被写体の撮影条件を設定する機能と、
前記被写体に複数の特徴部位を設定する機能と、
前記撮影候補位置及び前記撮影条件に基づく撮影の評価基準を前記特徴部位ごとに設定する機能と、
設定された前記撮影候補位置から設定された前記撮影条件で前記被写体を撮影した場合の撮影の評価を表わす評価値を前記撮影候補位置ごとに算出する機能と、
前記評価値が前記撮影候補位置ごとに定められた撮影評価マップを生成する機能と、
をコンピュータに実現させる撮影評価マップ生成プログラムであって、
前記撮影候補位置ごとの前記評価値を算出する機能は、前記評価基準に従って前記特徴部位ごとに個別評価値を算出し、得られた前記特徴部位ごとの前記個別評価値の総和を前記評価値として算出する、
撮影評価マップ生成プログラム。
【請求項２１】
非一時的かつコンピュータ読取可能な記録媒体であって、前記記録媒体に格納された指令がコンピュータによって読み取られた場合に請求項２０に記載の撮影評価マップ生成プログラムをコンピュータに実行させる記録媒体。
【請求項２２】
特定の位置から特定の撮影条件で被写体を撮影した場合の撮影の評価を表わす評価値が、複数の撮影候補位置について、複数の撮影条件ごとに定められた撮影評価マップ。
【請求項２３】
各前記撮影候補位置における前記撮影条件ごとの前記評価値は、前記被写体に複数の特徴部位を設定し、前記撮影候補位置及び前記撮影条件に基づく撮影の評価基準を前記特徴部位ごとに設定し、前記評価基準に従って前記特徴部位ごとに個別評価値を算出し、得られた前記特徴部位ごとの前記個別評価値の総和として算出される、
請求項２２に記載の撮影評価マップ。
【発明の詳細な説明】
【技術分野】
【０００１】
本発明は、撮影評価マップ、撮影評価マップ生成装置、撮影評価マップ生成方法及び撮影評価マップ生成プログラムに関する。
【背景技術】
【０００２】
橋梁、トンネル、ダムなどの構造物の表面を撮影装置で撮影し、得られた画像を解析することによって、構造物を検査、点検等する技術が知られている。【０００３】
特許文献１には、撮影条件等の情報が記録された二次元バーコードを構造物に配置し、その二次元バーコードを読み取って、点検用の撮影を実施する技術が提案されている。
【先行技術文献】
【特許文献】
【０００４】
【特許文献１】特開2017-31740号公報
【発明の概要】
【発明が解決しようとする課題】
【０００５】
ところで、点検等を目的として構造物を撮影する際、どのような機材を用いて、どのような位置から、どのような条件で撮影すればよいかの判断は熟練度を要する。特に、ドローンなどの自律移動ロボットを用いて撮影する場合には、移動ルートの選定も必要になり、その撮影プランの策定には高度な判断が要求される。【０００６】
本発明は、このような事情に鑑みてなされたもので、撮影プランの策定を容易にする撮影評価マップ、撮影評価マップ生成装置、撮影評価マップ生成方法及び撮影評価マップ生成プログラムを提供することを目的とする。
【課題を解決するための手段】
【０００７】
上記課題を解決するための手段は、次のとおりである。【０００８】
（１）被写体を含む座標空間を設定する座標空間設定部と、座標空間内で複数の撮影候補位置を設定する撮影候補位置設定部と、被写体の撮影条件を設定する撮影条件設定部と、被写体に複数の特徴部位を設定する特徴部位設定部と、撮影候補位置及び撮影条件に基づく撮影の評価基準を特徴部位ごとに設定する評価基準設定部と、撮影候補位置設定部で設定された撮影候補位置から撮影条件設定部で設定された撮影条件で被写体を撮影した場合の撮影の評価を表わす評価値を撮影候補位置ごとに算出する評価値算出部と、評価値が撮影候補位置ごとに定められた撮影評価マップを生成する撮影評価マップ生成部と、を備え、評価値算出部は、撮影候補位置ごとの評価値を算出する際、評価基準に従って特徴部位ごとに個別評価値を算出し、得られた特徴部位ごとの個別評価値の総和を評価値として算出する、撮影評価マップ生成装置。【０００９】
本態様によれば、所定の撮影評価マップが生成される。撮影評価マップは、特定の位置から特定の撮影条件で被写体を撮影した場合の撮影の評価を表わす評価値が、複数の撮影候補位置ごとに定められる。したがって、撮影評価マップを参酌することにより、どの位置から撮影すれば、良好な画像が撮影できるかを容易に判別できる。これにより、撮影プランの策定を容易にできる。【００１０】
各撮影候補位置における評価値は、被写体に設定された複数の特徴部位ごとの個別評価値の総和として算出される。個別評価値は、特徴部位ごとに設定された評価基準に従って特徴部位ごとに算出される。評価基準は、撮影候補位置及び撮影条件に基づいて設定される。すなわち、撮影候補位置及び撮影条件に基づいて、撮影を評価するように設定される。この評価は、各特徴部位を基準とした撮影の評価である。すなわち、各特徴部位からの視点での撮影の評価である。したがって、各特徴部位の評価基準は、その特徴部位が、良好に撮影される条件に対して相対的に高い評価が算出されるように設定される。たとえば、斜めから撮影されるよりも正面から撮影される方が良好に撮影され得る特徴部位の場合、斜めから撮影される条件よりも正面から撮影される条件に対して、相対的に高い評価が算出されるように設定される。【００１１】
なお、ここでの「撮影条件」とは、撮影方向、撮影画角など撮影結果に影響を与えるさまざまなパラメータ群をいう。また、被写体の「特徴部位」とは、「対象についての情報」に直接又は間接に関連する対象の「見え（見え＝appearance（外観、外見、見掛け））」である。たとえば、構造物の点検を目的とした撮影では、被写体である点検対象物の立体形状、表面のテクスチャ等が代表的な特徴部位とされる。有用な「見え」となる立体的形状の具体的な構成要素としては、頂点、稜線等が例示される。また、有用な「見え」となる表面のテクスチャの具体的な構成要素としては、表面の汚れ（しみ、変色等）、ひび割れ等の劣化部位（劣化現象が現れている部位）が例示される。【００１２】
（２）評価基準が、位置及び撮影条件をパラメータとする評価関数で規定される、上記（１）の撮影評価マップ生成装置。【００１３】
本態様によれば、評価基準が、位置及び撮影条件をパラメータとする関数（評価関数）で規定される。評価値算出部は、撮影候補位置ごとの評価値を算出する際、評価関数に基づいて特徴部位ごとの個別評価値を算出し、得られた特徴部位ごとの個別評価値の総和を評価値として算出する。【００１４】
（３）撮影条件設定部は、複数の撮影条件を設定し、評価値算出部は、撮影候補位置及び撮影条件ごとに評価値を算出し、撮影評価マップ生成部は、評価値が、複数の撮影候補位置について、複数の撮影条件ごとに定められた撮影評価マップを生成する、上記（１）又は（２）の撮影評価マップ生成装置。【００１５】
本態様によれば、複数の撮影条件が設定され、複数の撮影候補位置について、複数の撮影条件ごとに評価値が算出される。これにより、どの位置から、どのような条件で撮影すれば、良好な画像が撮影できるかを撮影評価マップから容易に判別できる。これにより、撮影プランの策定をより容易にできる。【００１６】
（４）撮影条件設定部は、少なくとも撮影方向を変えた複数の撮影条件を設定する、上記（３）の撮影評価マップ生成装置。【００１７】
本態様によれば、少なくとも撮影方向が異なる複数の撮影条件が設定される。これにより、同じ撮影候補位置に対して、少なくとも撮影方向が異なる複数の評価値が得られる。これにより、たとえば、撮影方向を切り換える機能を備えた機材で撮影する際に、その撮影プランの策定を容易にできる。【００１８】
（５）撮影条件設定部は、少なくとも撮影画角を変えた複数の撮影条件を設定する、上記（３）又は（４）の撮影評価マップ生成装置。【００１９】
本態様によれば、少なくとも撮影画角が異なる複数の撮影条件が設定される。これにより、同じ撮影候補位置に対して、少なくとも撮影画角が異なる複数の評価値が得られる。これにより、たとえば、撮影画角を切り換える機能（ズーム機能）を備えた機材で撮影する際に、その撮影プランの策定を容易にできる。なお、撮影画角を変えることは、焦点距離を変えることと同義である。【００２０】
（６）撮影条件設定部は、少なくとも記録画素数を変えた複数の撮影条件を設定する、上記（３）から（５）のいずれか一の撮影評価マップ生成装置。【００２１】
本態様によれば、少なくとも記録画素数が異なる複数の撮影条件が設定される。これにより、同じ撮影候補位置に対して、少なくとも記録画素数が異なる複数の評価値が得られる。これにより、撮影に適した機材の選択等を容易にできる。なお、記録画素数とは、撮影した画像をメディアに記録する際の画素数である。ここでは、解像度と同義である。すなわち、記録画素数が大きいほど高解像度での撮影となる。【００２２】
（７）撮影条件設定部は、少なくとも露出補正量を変えた複数の撮影条件を設定する、上記（３）から（６）のいずれか一の撮影評価マップ生成装置。【００２３】
本態様によれば、少なくとも露出補正量が異なる複数の撮影条件が設定される。これにより、同じ撮影候補位置に対して、少なくとも露出補正量が異なる複数の評価値が得られる。これにより、たとえば、露出補正が可能な機材で撮影する際に、その撮影プランの策定を容易にできる。【００２４】
（８）撮影条件設定部は、少なくともフレームレートを変えた複数の撮影条件を設定する、上記（３）から（７）のいずれか一の撮影評価マップ生成装置。【００２５】
本態様によれば、少なくともフレームレートが異なる複数の撮影条件が設定される。これにより、同じ撮影候補位置に対して、少なくともフレームレートの異なる複数の評価値が得られる。これにより、撮影に適した機材の選択等を容易にできる。【００２６】
（９）特徴部位を座標空間での位置及び方位で特定する、上記（１）から（８）のいずれか一の撮影評価マップ生成装置。【００２７】
本態様によれば、特徴部位が、座標空間での位置及び方位で特定される。上記のように、構造物の点検を目的とした撮影では、被写体である点検対象物の立体形状、表面のテクスチャ等が代表的な特徴部位となり、点検対象物の頂点、稜線、表面の汚れ、表面のひび割れ等が特徴部位とされる。これらの特徴部位の位置及び方位を座標空間で特定する。なお、「方位」は、その特徴部位が向いている方向である。【００２８】
（１０）特徴部位設定部は、被写体の頂点及び／又は稜線を特徴部位として設定する、上記（１）から（９）のいずれか一の撮影評価マップ生成装置。【００２９】
本態様によれば、被写体の頂点及び／又は稜線が特徴部位として設定される。構造物の点検を目的とした撮影では、これらの部位が、被写体の有用な「見え」となる。【００３０】
（１１）構造物を被写体とする場合において、特徴部位設定部は、構造物の表面の劣化部位を更に特徴部位として設定する、上記（１０）の撮影評価マップ生成装置。【００３１】
本態様によれば、構造物を被写体とする場合、構造物の表面の劣化部位が特徴部位として設定される。構造物の点検を目的とした撮影では、これらの部位が、被写体の有用な「見え」となる。【００３２】
（１２）構造物の表面の汚れ及び／又はひび割れを劣化部位とする、上記（１１）の撮影評価マップ生成装置。【００３３】
本態様によれば、構造物の表面の汚れ及び／又はひび割れが劣化部位とされる。【００３４】
（１３）特徴部位ごとに重みを設定する重み設定部を更に備え、評価値算出部は、撮影候補位置ごとの評価値を算出する際、得られた特徴部位ごとの個別評価値に重みを乗じた総和を評価値として算出する、上記（１）から（１２）のいずれか一の撮影評価マップ生成装置。【００３５】
本態様によれば、特徴部位ごとに重みが設定される。評価値算出部は、撮影候補位置ごとの評価値を算出する際、得られた特徴部位ごとの個別評価値に重みを乗じた総和を評価値として算出する。これにより、注目度、重要度等に応じて、各特徴部位に軽重の重みを付与できる。【００３６】
（１４）構造物の表面の劣化部位を特徴部位とする場合において、重み設定部は、劣化部位に対して相対的に高い重みを付与する、上記（１３）の撮影評価マップ生成装置。【００３７】
本態様によれば、構造物の表面の劣化部位を特徴部位とする場合において、劣化部位に対して相対的に高い重みが付与される。これにより、劣化部位の撮影に適した撮影評価マップを生成できる。【００３８】
（１５）複数の特徴部位の中から注目部位を選択する注目部位選択部を更に備え、重み設定部は、注目部位に対して相対的に高い重みを付与する、上記（１３）又は（１４）の撮影評価マップ生成装置。【００３９】
本態様によれば、注目する特徴部位（注目部位）に対して相対的に高い重みを付与できる。これにより、注目部位の撮影に適した撮影評価マップを生成できる。【００４０】
（１６）被写体を複数の視点から撮影した複数の画像を取得する被写体画像取得部と、取得された複数の画像に基づいて、被写体の三次元モデルを生成する三次元モデル生成部と、を更に備え、座標空間設定部は、三次元モデル生成部で生成された被写体の三次元モデルに基づいて、座標空間を設定する、上記（１）から（１５）のいずれか一の撮影評価マップ生成装置。【００４１】
本態様によれば、被写体を複数の視点から撮影した複数の画像から被写体の三次元モデルが生成され、生成された被写体の三次元モデルに基づいて、自動的に座標空間が設定される。たとえば、三次元メッシュモデルが生成され、生成された被写体の三次元メッシュモデルに基づいて、自動的に座標空間が設定される。メッシュモデルは、頂点、エッジ、面で構成され、多角形表現を使用して、被写体の三次元構造又は形状を定義する。これにより、座標空間の設定を容易にできる。【００４２】
（１７）特徴部位設定部は、三次元モデル生成部で生成された被写体の三次元モデルに基づいて、特徴部位を設定する、上記（１６）の撮影評価マップ生成装置。【００４３】
本態様によれば、被写体の三次元モデルに基づいて、特徴部位が設定される。たとえば、被写体の三次元メッシュモデルに基づいて、特徴部位が設定される。これにより、特徴部位の設定を容易にできる。【００４４】
（１８）評価基準設定部は、三次元モデル生成部で生成された被写体の三次元モデルに基づいて、特徴部位ごとに評価基準を設定する、上記（１７）の撮影評価マップ生成装置。【００４５】
本態様によれば、被写体の三次元モデルに基づいて、特徴部位ごとの評価基準が設定される。これにより、評価基準の設定を容易にできる。【００４６】
（１９）被写体を含む座標空間を設定するステップと、座標空間内で複数の撮影候補位置を設定するステップと、被写体の撮影条件を設定するステップと、被写体に複数の特徴部位を設定するステップと、撮影候補位置及び撮影条件に基づく撮影の評価基準を特徴部位ごとに設定するステップと、設定された撮影候補位置から設定された撮影条件で被写体を撮影した場合の撮影の評価を表わす評価値を撮影候補位置ごとに算出するステップと、評価値が撮影候補位置ごとに定められた撮影評価マップを生成するステップと、を含む評価マップ生成方法であって、撮影候補位置ごとの評価値を算出するステップは、評価基準に従って特徴部位ごとに個別評価値を算出し、得られた特徴部位ごとの個別評価値の総和を評価値として算出する、撮影評価マップ生成方法。【００４７】
本態様によれば、所定の撮影評価マップが生成される。撮影評価マップは、特定の位置から特定の撮影条件で被写体を撮影した場合の撮影の評価を表わす評価値が、複数の撮影候補位置ごとに定められる。したがって、撮影評価マップを参酌することにより、どの位置から撮影すれば、良好な画像が撮影できるかを容易に判別できる。これにより、撮影プランの策定を容易にできる。【００４８】
（２０）被写体を含む座標空間を設定する機能と、座標空間内で複数の撮影候補位置を設定する機能と、被写体の撮影条件を設定する機能と、被写体に複数の特徴部位を設定する機能と、撮影候補位置及び撮影条件に基づく撮影の評価基準を特徴部位ごとに設定する機能と、設定された撮影候補位置から設定された撮影条件で被写体を撮影した場合の撮影の評価を表わす評価値を撮影候補位置ごとに算出する機能と、評価値が撮影候補位置ごとに定められた撮影評価マップを生成する機能と、をコンピュータに実現させる撮影評価マップ生成プログラムであって、撮影候補位置ごとの評価値を算出する機能は、評価基準に従って特徴部位ごとに個別評価値を算出し、得られた特徴部位ごとの個別評価値の総和を評価値として算出する、撮影評価マップ生成プログラム。【００４９】
本態様によれば、所定の撮影評価マップが生成される。撮影評価マップは、特定の位置から特定の撮影条件で被写体を撮影した場合の撮影の評価を表わす評価値が、複数の撮影候補位置ごとに定められる。したがって、撮影評価マップを参酌することにより、どの位置から撮影すれば、良好な画像が撮影できるかを容易に判別できる。これにより、撮影プランの策定を容易にできる。【００５０】
（２１）特定の位置から特定の撮影条件で被写体を撮影した場合の撮影の評価を表わす評価値が、複数の撮影候補位置について、複数の撮影条件ごとに定められた撮影評価マップ。【００５１】
本態様によれば、撮影評価マップを参酌することにより、どの位置から、どのような条件で撮影すれば、良好な画像が撮影できるかを容易に判別できる。これにより、撮影プランの策定を容易にできる。【００５２】
（２２）各撮影候補位置における撮影条件ごとの評価値は、被写体に複数の特徴部位を設定し、撮影候補位置及び撮影条件に基づく撮影の評価基準を特徴部位ごとに設定し、評価基準に従って特徴部位ごとに個別評価値を算出し、得られた特徴部位ごとの個別評価値の総和として算出される、上記（２１）の撮影評価マップ。【００５３】
本態様によれば、各撮影候補位置における撮影条件ごとの評価値が、被写体に設定された複数の特徴部位ごとの個別評価値の総和として算出される。個別評価値は、特徴部位ごとに設定された評価基準に従って特徴部位ごとに算出される。評価基準は、撮影候補位置及び撮影条件に基づいて設定される。
【発明の効果】
【００５４】
本発明によれば、撮影プランの策定を容易にできる。
【図面の簡単な説明】
【００５５】
【図１】コンピュータに撮影評価マップ生成プログラムをインストールすることにより実現される撮影評価マップ生成装置の概略構成を示すブロック図
【図２】撮影評価マップ生成装置が実現する機能のブロック図
【図３】座標空間の設定の一例を示す図
【図４】撮影候補位置の設定の一例を示す図
【図５】ある撮影候補位置からある撮影条件で撮影する場合に得られる個別評価値及び評価値の関係を示すグラフ
【図６】撮影評価マップのデータ構造の一例を示す図
【図７】撮影評価マップをグラフ形式で表示する場合の一例を示す図
【図８】撮影評価マップの生成手順を示すフローチャート
【図９】評価値の算出手順を示すフローチャート
【図１０】被写体の一例を示す図
【図１１】撮影候補位置及び撮影条件（撮影方向）の設定の一例を示す図
【図１２】撮影方向が４５°の場合に各撮影候補位置で得られる評価値の一覧を示す表
【図１３】撮影方向が９０°の場合に各撮影候補位置で得られる評価値の一覧を示す表
【図１４】撮影方向が１３５°の場合に各撮影候補位置で得られる評価値の一覧を示す表
【図１５】撮影評価マップのデータ構造の一例を示す図
【図１６】撮影方向が４５°の場合に各撮影候補位置で得られる評価値をグラフ化して出力する場合の一例を示す図
【図１７】撮影方向が９０°の場合に各撮影候補位置で得られる評価値をグラフ化して出力する場合の一例を示す図
【図１８】撮影方向が１３５°の場合に各撮影候補位置で得られる評価値をグラフ化して出力する場合の一例を示す図
【図１９】撮影装置が実現する機能のブロック図
【図２０】選定された撮影ポイント及び撮影条件をディスプレイに出力する場合の一例を示す図
【図２１】選定された撮影ポイント及び撮影条件をディスプレイに出力する場合の他の一例を示す図（撮影方向が４５°の場合）
【図２２】選定された撮影ポイント及び撮影条件をディスプレイに出力する場合の他の一例を示す図（撮影方向が９０°の場合）
【図２３】選定された撮影ポイント及び撮影条件をディスプレイに出力する場合の他の一例を示す図（撮影方向が１３５°の場合）
【図２４】撮影ポイント及び撮影条件の選出の処理の手順を示すフローチャート
【図２５】第２の実施の形態の撮影装置が実現する機能のブロック図
【図２６】撮影ポイント及び撮影条件の選出処理の手順を示すフローチャート
【図２７】第３の実施の形態の撮影装置が実現する機能のブロック図
【図２８】撮影ポイント及び撮影条件の選出処理の手順を示すフローチャート
【図２９】第４の実施の形態の撮影装置が実現する機能のブロック図
【図３０】撮影ポイント及び撮影条件並びに移動ルートの選出処理の手順を示すフローチャート
【図３１】第５の実施の形態の撮影装置が実現する機能のブロック図
【図３２】撮影プランの生成処理の手順を示すフローチャート
【図３３】第６の実施の形態の撮影装置が実現する機能のブロック図
【図３４】推奨する撮影機材の選定処理の手順を示すフローチャート
【図３５】第７の実施の形態の撮影装置が実現する機能のブロック図
【図３６】推奨する移動機材の選定処理の手順を示すフローチャート
【図３７】第８の実施の形態の撮影装置が実現する機能のブロック図
【図３８】推奨機材の選定処理の手順を示すフローチャート
【図３９】撮影システムのシステム構成の一例を示す図
【図４０】撮影システムによる撮影の処理手順を示すフローチャート
【発明を実施するための形態】
【００５６】
以下、添付図面に従って本発明の好ましい実施の形態について詳説する。
【００５７】
◆◆撮影評価マップ生成装置◆◆
［撮影評価マップ生成装置］
撮影評価マップ生成装置は、特定の位置から特定の撮影条件で被写体を撮影した場合の撮影の評価を表わす評価値が、複数の撮影候補位置について、複数の撮影条件ごとに定められた撮影評価マップを生成する。
【００５８】
《撮影評価マップ生成装置のハードウェア構成》
撮影評価マップ生成装置は、所定の撮影評価マップ生成プログラムをインストールしたコンピュータで構成される。
【００５９】
図１は、コンピュータに撮影評価マップ生成プログラムをインストールすることにより実現される撮影評価マップ生成装置の概略構成を示すブロック図である。
【００６０】
同図に示すように、撮影評価マップ生成装置１は、ＣＰＵ（Central Processing Unit）１０、ＲＯＭ（Read Only Memory）１１、ＲＡＭ（Random Access Memory）１２、ハードディスクドライブ（Hard Disk Drive , HDD）１３、光学ディスクドライブ１４、通信インターフェース（interface , I/F）１５、入出力インターフェース（interface , I/F）１６等を備える。
【００６１】
撮影評価マップ生成装置１は、通信インターフェース１５を介して、ネットワーク２に接続され、ネットワーク２を介して、サーバ等の他の装置と通信可能に接続される。
【００６２】
撮影評価マップ生成装置１には、入出力インターフェース１６を介して、キーボード２０、マウス２１等の入力装置が接続される。また、撮影評価マップ生成装置１には、入出力インターフェース１６を介して、ディスプレイ２２、プリンタ２３等の出力装置が接続される。
【００６３】
撮影評価マップ生成プログラムは、ＤＶＤ（Digital Versatile Disc）、ＣＤ−ＲＯＭ（Compact Disk Read Only Memory）等の非一時的かつコンピュータ読取可能なメディア（記録媒体）に記録されて配布され、そのメディアからコンピュータにインストールされる。あるいは、ネットワーク上に外部からアクセス可能な状態で保存され、要求に応じてコンピュータにダウンロードされて、コンピュータにインストールされる。
【００６４】
《撮影評価マップ生成装置が実現する機能》
図２は、撮影評価マップ生成装置が実現する機能のブロック図である。
【００６５】
撮影評価マップ生成装置１は、座標空間を設定する座標空間設定部３１、撮影候補位置を設定する撮影候補位置設定部３２、撮影条件を設定する撮影条件設定部３３、特徴部位を設定する特徴部位設定部３４、撮影の評価基準を設定する評価基準設定部３５、撮影の評価を表わす評価値を算出する評価値算出部３６、撮影評価マップを生成する撮影評価マップ生成部３７、及び、生成された撮影評価マップを所定のフォーマットで出力する撮影評価マップ出力処理部３８として機能する。
【００６６】
〈座標空間設定部〉
座標空間設定部３１は、被写体を含む座標空間を設定する。座標空間設定部３１は、被写体の情報の入力を受け付けて、座標空間を設定する。たとえば、三次元構造物を被写体とする場合、その三次元モデルデータの入力を受け付けて、座標空間を設定する。また、たとえば、平面を被写体とする場合は、平面データ（平面の画像データ、地図データなど）の入力を受け付けて、座標空間を設定する。
【００６７】
図３は、座標空間の設定の一例を示す図である。座標空間ＣＳは、直交する３軸（Ｘ軸、Ｙ軸、Ｚ軸）で定義され、撮影対象となる被写体ＯＢの全体が含まれるように設定される。
【００６８】
〈撮影候補位置設定部〉
撮影候補位置設定部３２は、撮影候補位置を設定する。撮影候補位置は、座標空間設定部３１によって設定された座標空間内に複数設定される。たとえば、被写体ＯＢを含む有限の空間を複数のブロックＢに分割し、各ブロックＢの中心の位置を撮影候補位置に設定する。図４は、撮影候補位置の設定の一例を示す図である。同図は、特定のＸＺ断面における撮影候補位置の設定の一例を示している。同図には、被写体ＯＢを含む有限の空間Ｓを複数のブロックＢに分割し、各ブロックＢの中心の位置に撮影候補位置ＰＰ（Ｘｎ，Ｙｎ，Ｚｎ）に設定した場合の例が示されている。撮影候補位置設定部３２は、設定された座標空間に基づいて、自動的に撮影候補位置を設定する。
【００６９】
〈撮影条件設定部〉
撮影条件設定部３３は、被写体の撮影条件を設定する。撮影条件とは、撮影方向（レンズ光軸の向き）、撮影画角（焦点距離）、記録画素数、撮影波長、光源との位置関係など、撮影結果に影響を与えるさまざまなパラメータ群をいう。撮影条件設定部３３は、複数の撮影条件を自動的に設定する。たとえば、撮影方向（レンズ光軸の向き）、撮影画角（焦点距離）、記録画素数などを変えた複数の撮影条件を自動的に設定する。
【００７０】
〈特徴部位設定部〉
特徴部位設定部３４は、被写体に複数の特徴部位を設定する。被写体の「特徴部位」とは、「対象についての情報」に直接又は間接に関連する対象の「見え（見え＝appearance（外観、外見、見掛け））」である。たとえば、構造物の点検を目的とした撮影では、被写体である点検対象物の立体形状、表面のテクスチャ等が代表的な特徴部位とされる。有用な「見え」となる立体的形状の具体的な構成要素としては、頂点、稜線等が例示される。また、有用な「見え」となる表面のテクスチャの具体的な構成要素としては、表面の汚れ（しみ、変色等）、ひび割れ等の劣化部位が例示される。このように、被写体の有用な「見え」となる点、線及び領域が特徴部位とされる。特徴部位とされた点、線及び領域は、その位置及び方位が座標空間上で特定される。また、一定の領域を特徴部位とした場合には、その範囲（大きさ）が特定される。方位は、その特徴部位が向いている方向である。
【００７１】
特徴部位設定部３４は、被写体のデータに基づいて、自動的に特徴部位を設定する。たとえば、被写体の三次元モデルデータから頂点、稜線等を自動的に抽出し、抽出した頂点、稜線等を特徴部位に設定する。また、たとえば、平面の画像データから特徴点を自動的に抽出し、抽出した特徴点を特徴部位に設定する。
【００７２】
また、特徴部位設定部３４は、ユーザから特徴部位の指定を受け付けて、特徴部位を設定する。たとえば、被写体の三次元モデル（たとえば、三角メッシュモデル等）をディスプレイ２２に表示させ、特徴部位とする部位の指定（位置及び方位）を受け付ける。あるいは、被写体を複数の視点で撮影した画像群をディスプレイ２２に表示させ、画像上で特徴部位とする部位の指定を受け付ける。ユーザは、カーソル等で指定して、特徴部位とする部位を指定する。たとえば、汚れ、ひび割れ等の劣化現象が現れている領域、あるいは、現れると想定される領域を指定して、特徴部位を指定する。
【００７３】
また、特徴部位設定部３４は、ユーザから指示を受け付け、自動で設定された特徴部位の設定を解除する。
【００７４】
〈評価基準設定部〉
評価基準設定部３５は、撮影を評価するための評価基準を設定する。この評価基準は、各特徴部位を基準とした評価基準である。すなわち、各特徴部位からの視点で撮影の良否を評価するものである。したがって、特徴部位ごとに個別に設定される。
【００７５】
評価基準は、位置及び撮影条件をパラメータとする関数（評価関数）で規定される。したがって、この評価関数でパラメータとされる要素が、撮影条件設定部３３で設定される撮影条件となる。したがって、たとえば、撮影方向、撮影画角、記録画素数が評価関数のパラメータとされている場合、撮影条件設定部３３では、少なくとも撮影方向、撮影画角、記録画素数が撮影条件として設定される。
【００７６】
評価基準は、その評価基準が設定される特徴部位が、良好に撮影される位置及び撮影条件に対して、相対的に高い評価が算出されるように設定される。たとえば、斜めから撮影されるよりも正面から撮影される方が良好に撮影され得る特徴部位の場合、斜めから撮影される条件よりも正面から撮影される条件に対して、相対的に高い評価が算出されるように設定される。
【００７７】
評価基準設定部３５は、所定の設定規則に基づいて、各特徴部位の評価関数を個別に設定する。たとえば、正面からの撮影に対して相対的に高い評価が得られるように、各特徴部位の評価関数を個別に設定する。画面中央にレイアウトされる撮影に対して相対的に高い評価が得られるように、各特徴部位の評価関数を個別に設定する。画面内に所定のサイズで撮影される撮影に対して相対的に高い評価が得られるように、各特徴部位の評価関数を個別に設定する。
【００７８】
〈評価値算出部〉
評価値算出部３６は、設定された各撮影条件で各撮影候補位置から被写体を撮影した場合の撮影の評価を表わす評価値を撮影候補位置ごと及び撮影条件ごとに算出する。評価値は、評価対象とする撮影候補位置及び撮影条件での撮影をすべての特徴部位で評価し、その評価の総和として算出される。すなわち、各特徴部位の視点で撮影を評価し、得られた各特徴部位から評価の総和を、その撮影の評価値とする。たとえば、ある撮影候補位置からある撮影条件で撮影したとする。その撮影をすべての特徴部位で個別に評価する。この場合、各特徴部位からは、高低さまざまな評価が下される。そのすべての特徴部位の評価の総和が、評価対象とする撮影の評価値となる。評価値算出部３６は、以下の手順で評価値を算出する。
【００７９】
まず、評価値算出部３６は、評価対象とする撮影候補位置及び撮影条件を特定する。次に、評価値算出部３６は、特定された条件で撮影した場合に各特徴部位から得られる評価を求める。この評価は、個別評価値として算出され、すべての特徴部位について算出される。個別評価値は、特徴部位ごとに定められた評価基準に従って算出される。上記のように、評価基準は、位置及び撮影条件をパラメータとする評価関数として規定されている。したがって、評価値算出部３６は、特定された撮影候補位置及び撮影条件を評価関数に代入して、各特徴部位の個別評価値を算出する。すべての特徴部位について、個別評価値が求められたら、評価値算出部３６は、その総和を求める。求めた総和が、評価対象とする撮影候補位置及び撮影条件での評価値とされる。
【００８０】
図５は、ある撮影候補位置からある撮影条件で撮影する場合に得られる個別評価値及び評価値の関係を示すグラフである。
【００８１】
同図に示すように、特徴部位がｎ個存在する場合、そのそれぞれについて評価関数Ｆ１〜Ｆｎが定められる。そして、個別に定められた評価関数Ｆ１〜Ｆｎを用いて、各特徴部位の個別評価値α１〜αｎが個別に算出される。算出されたすべての特徴部位の個別評価値α１〜αｎの総和Σα＝α１＋α２＋…＋αｎ−１＋αｎが、当該撮影候補位置及び撮影条件での評価値σとされる。
【００８２】
〈撮影評価マップ生成部〉
撮影評価マップ生成部３７は、評価値算出部３６の算出結果に基づいて、撮影評価マップを生成する。すなわち、特定の位置から特定の撮影条件で被写体を撮影した場合の撮影の評価を表わす評価値が、複数の撮影候補位置について、複数の撮影条件ごとに定められた撮影評価マップを生成する。
【００８３】
上記のように、評価値算出部３６では、撮影候補位置ごと及び撮影条件ごとに撮影の評価を表わす評価値が算出される。撮影評価マップ生成部３７は、評価値算出部３６の算出結果に基づいて、撮影評価マップを生成する。
【００８４】
撮影評価マップは、所定のフォーマットで生成され、少なくとも評価値の情報と、その評価値が算出された撮影候補位置及び撮影条件の情報とが相互に関連付けられたものが生成される。
【００８５】
図６は、撮影評価マップのデータ構造の一例を示す図である。
【００８６】
同図に示すように、撮影評価マップのデータには、少なくとも撮影候補位置ＰＰ（Ｘ１，Ｙ１，Ｚ１）〜ＰＰ（Ｘｎ，Ｙｎ，Ｚｎ）の情報と、撮影条件ＳＣ１〜ＳＣｎの情報と、評価値σ１（Ｘ１，Ｙ１，Ｚ１）〜σｎ（Ｘｎ，Ｙｎ，Ｚｎ）の情報と、が含まれる。評価値σ１（Ｘ１，Ｙ１，Ｚ１）〜σｎ（Ｘｎ，Ｙｎ，Ｚｎ）の情報は、その評価値σ１（Ｘ１，Ｙ１，Ｚ１）〜σｎ（Ｘｎ，Ｙｎ，Ｚｎ）が算出された撮影候補位置ＰＰ（Ｘ１，Ｙ１，Ｚ１）〜ＰＰ（Ｘｎ，Ｙｎ，Ｚｎ）の情報及び撮影条件ＳＣ１〜ＳＣｎの情報に関連付けられて記録される。これにより、撮影候補位置及び撮影条件を特定すれば、その撮影候補位置及び撮影条件に対応する評価値が一意に求められる。
【００８７】
〈撮影評価マップ出力処理部〉
撮影評価マップ出力処理部３８は、生成された撮影評価マップを所定の出力フォーマットで出力装置に出力する。撮影評価マップは、たとえば、表形式、グラフ形式等で出力される。
【００８８】
図７は、撮影評価マップをグラフ形式で表示する場合の一例を示す図である。同図は、あるＸＺ平面における撮影条件別の評価値のグラフを示している。各グラフに表示された円は、その位置（撮影候補位置）における評価値を示し、直径が大きくなるほど高い評価値であることを示している。このようにグラフ化することにより、高い評価値が得られる条件（撮影候補位置及び撮影条件）を容易に把握することが可能になる。
【００８９】
［撮影評価マップの生成手順］
次に、上記のように構成される撮影評価マップ生成装置１を用いた撮影評価マップの生成手順（撮影評価マップ生成方法）について説明する。
【００９０】
図８は、撮影評価マップの生成手順を示すフローチャートである。
【００９１】
まず、撮影対象である被写体を特定する（ステップＳ１）。被写体の特定は、被写体のデータを入力して特定する。たとえば、被写体の三次元モデルデータ、平面データ等を入力して特定する。
【００９２】
次に、特定された被写体に基づいて、被写体を含む座標空間を設定する（ステップＳ２）。
【００９３】
次に、設定された座標空間内に複数の撮影候補位置を設定する（ステップＳ３）。
【００９４】
次に、撮影条件を設定する（ステップＳ４）。撮影条件は、評価関数のパラメータに基づいて設定する。たとえば、評価関数が、撮影画角及び撮影方向をパラメータとする場合、撮影画角及び撮影方向の条件を設定する。この際、内容の異なる複数の撮影条件を設定する。たとえば、撮影画角又は撮影方向の異なる複数の撮影条件を設定する。あるいは、撮影画角及び撮影方向の異なる複数の撮影条件を設定する。
【００９５】
次に、特徴部位を設定する（ステップＳ５）。特徴部位は、被写体のデータに基づいて自動で設定される。すなわち、有用な見えとなる部位が自動で抽出されて、特徴部位に設定される。また、必要に応じて手動で設定される。
【００９６】
次に、設定された特徴部位ごとに評価基準を設定する（ステップＳ６）。評価基準は、位置及び撮影条件をパラメータとする評価関数で規定される。特徴部位の評価関数は、その特徴部位が良好に撮影される条件に対して相対的に高い評価が算出されるように設定される。
【００９７】
次に、設定された撮影候補位置、撮影条件、特徴部位及び評価関数に基づいて評価値を算出する（ステップＳ７）。評価値は、撮影候補位置ごと及び撮影条件ごとに算出される。
【００９８】
図９は、評価値の算出手順を示すフローチャートである。
【００９９】
評価値は、撮影条件を切り換えて撮影候補位置ごとに算出される。すなわち、１つの撮影候補位置について、すべての撮影条件の評価値が算出されたら、次の撮影候補位置の評価値が算出される。
【０１００】
まず、第１の撮影候補位置の情報を取得する（ステップＳ１０）。次に、第１の撮影条件の情報を取得する（ステップＳ１１）。次に、取得した撮影候補位置及び撮影条件に基づいて、各特徴部位の個別評価値を算出する（ステップＳ１２）。各特徴部位の個別評価値は、撮影候補位置及び撮影条件の情報を評価関数に代入して算出する。すべての特徴部位の個別評価値を算出後、その総和を算出し、当該条件での評価値とする（ステップＳ１３）。
【０１０１】
評価値の算出後、当該撮影候補位置について、すべての撮影条件の評価値が算出されたか否かを判定する（ステップＳ１４）。すべての撮影条件の評価値が完了していない場合は、ステップＳ１１に戻り、次の撮影条件の情報を取得する。そして、得られた撮影条件の下で評価値を算出する。
【０１０２】
当該撮影候補位置について、すべての撮影条件の評価値の算出が完了した場合は、次に、すべての撮影候補位置について、評価値の算出が完了したか否かを判定する（ステップＳ１５）。すべての撮影候補位置について、評価値の算出が完了していない場合は、ステップＳ１０に戻り、次の撮影候補位置の情報を取得する。そして、取得した撮影候補位置の下で撮影条件を切り換えて、それぞれの評価値を算出する。すべての撮影候補位置について、評価値の算出が完了した場合は、処理を終了する。
【０１０３】
すべての撮影候補位置におけるすべての撮影条件の評価値を算出後、その算出結果に基づいて、撮影評価マップを生成する（ステップＳ８）。撮影評価マップは、所定のフォーマットで生成され、少なくとも評価値の情報と、その評価値が算出された撮影候補位置及び撮影条件の情報とが相互に関連付けられたものが生成される（図６参照）。
【０１０４】
生成された撮影評価マップを所定の出力フォーマットで出力装置に出力する（ステップＳ９）。たとえば、グラフ形式（図７参照）でディスプレイ２２に出力する。
【０１０５】
［撮影評価マップの作成の実施例］
以下に撮影評価マップの作成の実施例を説明する。なお、説明を簡単にするため、以下においては、二次元空間を移動して撮影する場合の撮影評価マップの生成例について説明する。
【０１０６】
図１０は、被写体の一例を示す図である。
【０１０７】
本例では、地表面の特定の領域を被写体ＯＢとする。
【０１０８】
（１）座標空間の設定
図１０に示すように、被写体ＯＢを含む座標空間を設定する。
【０１０９】
本例では、平面である被写体ＯＢを含む面をＺＸ平面、ＺＸ平面に直交する面をＸＹ平面として設定している。Ｘ軸、Ｙ軸、Ｚ軸は、それぞれ被写体ＯＢの中心を通るように設定されている。
【０１１０】
（２）撮影候補位置の設定
設定された座標空間に撮影候補位置を設定する。上記のように、本例では、二次元空間を移動して撮影する。したがって、撮影候補位置は、二次元空間内に設定される。本例では、ＸＹ平面に撮影候補位置が設定される。撮影候補位置を座標位置（ｘ，ｙ）で表わす。
【０１１１】
（３）撮影条件の設定
本例では、撮影方向（レンズ光軸の向き）の異なる複数の撮影条件が設定される。撮影方向をθで表わす。
【０１１２】
（４）特徴部位の設定
上記のように、特徴部位は「見え」に現れる部位が設定される。図１０に示すように、被写体ＯＢに２つの部位が「見え」として現れていると仮定する。この場合、「見え」として現れた部位が、特徴部位として設定される。一方の特徴部位を第１特徴部位ＣＰ１、他方の特徴部位を第２特徴部位ＣＰ２とする。
【０１１３】
（５）評価基準の設定
各特徴部位の評価基準として、各特徴部位の評価関数を設定する。本例では、各撮影候補位置（ｘ，ｙ）において、撮影方向θの異なる複数の撮影条件で撮影する場合の撮影評価マップを作成するので、評価関数は、撮影候補位置（ｘ，ｙ）と撮影方向θをパラメータとする関数が設定される。
【０１１４】
本例では、（基準ａ）撮影位置に関して、当該特徴部位の撮影に好適な撮影距離に近付くほど高い評価値を出力するように評価関数を設定する、（基準ｂ）撮影方向に関して、当該特徴部位の撮影に好適な撮影方向に近付くほど高い評価値を出力するように評価関数を設定する、という基準で評価関数を設定するものとする。
【０１１５】
なお、「当該特徴部位の撮影に好適な撮影距離」は、使用する撮影機材の解像能力、撮影対象等により異なるものであるため、これらの要素を考慮して適宜設定される。
【０１１６】
また、「当該特徴部位の撮影に好適な撮影方向」も撮影対象等によって異なるので、撮影対象等を考慮して適宜設定される。一般に、正面からの撮影、すなわち、正対した撮影ほど好適とされる。
【０１１７】
《各基準に基づく評価関数》
（Ａ）基準ａ（撮影位置に関する評価基準）に基づく評価関数
（Ａ１）基準ａに基づく第１特徴部位ＣＰ１の評価関数
基準ａに基づく第１特徴部位ＣＰ１の評価関数をｆ１ａ（ｘ，ｙ，θ）とする。
【０１１８】
第１特徴部位ＣＰ１の座標位置を（ｘ１，ｙ１）とすると、各撮影候補位置（ｘ，ｙ）と第１特徴部位ＣＰ１との間の距離（撮影距離）は、差の二乗和であるｄ１＝（ｘ−ｘ１）２＋（ｙ−ｙ１）２で評価できる。第１特徴部位ＣＰ１の撮影に好適な撮影距離をＤ１とすると、Ｄ１に近いほど、この数値は小さくなる。
【０１１９】
よって、基準ａに基づく第１特徴部位ＣＰ１の評価関数ｆ１ａ（ｘ，ｙ，θ）については、たとえば、次式のように設定できる。
【０１２０】
ｆ１ａ（ｘ，ｙ，θ）＝２．０×（０．５−｜Ｄ１２−ｄ１｜／｜Ｄ１２＋ｄ１｜）
なお、｜Ｄ１２−ｄ１｜は（Ｄ１２−ｄ１）の絶対値、｜Ｄ１２＋ｄ１｜は（Ｄ１２＋ｄ１）の絶対値である。
【０１２１】
（Ａ２）基準ａに基づく第２特徴部位ＣＰ２の評価関数
基準ａに基づく第２特徴部位ＣＰ２の評価関数をｆ２ａ（ｘ，ｙ，θ）とする。
【０１２２】
第２特徴部位ＣＰ２の座標位置を（ｘ２，ｙ２）とすると、各撮影候補位置（ｘ，ｙ）と第２特徴部位ＣＰ２との間の距離（撮影距離）は、差の二乗和であるｄ２＝（ｘ−ｘ２）２＋（ｙ−ｙ２）２で評価できる。第２特徴部位ＣＰ２の撮影に好適な撮影距離をＤ２とすると、Ｄ２に近いほど、この数値は小さくなる。
【０１２３】
よって、基準ａに基づく第２特徴部位ＣＰ２の評価関数ｆ２ａ（ｘ，ｙ，θ）については、たとえば、次式のように設定できる。
【０１２４】
ｆ２ａ（ｘ，ｙ，θ）＝２．０×（０．５−｜Ｄ２２−ｄ２｜／｜Ｄ２２＋ｄ２｜）
なお、｜Ｄ２２−ｄ２｜は（Ｄ２２−ｄ２）の絶対値、｜Ｄ２２＋ｄ２｜は（Ｄ２２＋ｄ２）の絶対値である。
【０１２５】
（Ｂ）基準ｂ（撮影方向に関する評価基準）に基づく評価関数
（Ｂ１）基準ｂに基づく第１特徴部位ＣＰ１の評価関数
基準ｂに基づく第１特徴部位ＣＰ１の評価関数をｆ１ｂ（ｘ，ｙ，θ）とする。
【０１２６】
第１特徴部位ＣＰ１の座標位置を（ｘ１，ｙ１）とすると、各撮影候補位置（ｘ，ｙ）と第１特徴部位ＣＰ１とを結ぶ直線の角度θ１は、θ１＝ＡＴＡＮ［（ｙ−ｙ１）／（ｘ−ｘ１）］である。
【０１２７】
正対した撮影ほど高評価であるとすると、基準ｂに基づく第１特徴部位ＣＰ１の評価関数ｆ１ｂ（ｘ，ｙ，θ）は、たとえば、次式のように設定できる。
【０１２８】
ｆ１ｂ（ｘ，ｙ，θ）＝１．０−｜θ−θ１｜
（Ｂ２）基準ｂに基づく第２特徴部位ＣＰ２の評価関数
基準ｂに基づく第２特徴部位ＣＰ２の評価関数をｆ２ｂ（ｘ，ｙ，θ）とする。
【０１２９】
第２特徴部位ＣＰ２の座標位置を（ｘ２，ｙ２）とすると、各撮影候補位置（ｘ，ｙ）と第２特徴部位ＣＰ２とを結ぶ直線の角度θ２は、θ２＝ＡＴＡＮ［（ｙ−ｙ２）／（ｘ−ｘ２）］である。
【０１３０】
正対した撮影ほど高評価であるとすると、基準ｂに基づく第２特徴部位ＣＰ２の評価関数ｆ２ｂ（ｘ，ｙ，θ）は、たとえば、次式のように設定できる。
【０１３１】
ｆ２ｂ（ｘ，ｙ，θ）＝１．０−｜θ−θ２｜
《各特徴部位に設定する評価関数》
第１特徴部位ＣＰ１の評価関数をＦ１（ｘ，ｙ，θ）とし、第２特徴部位ＣＰ２の評価関数をＦ２（ｘ，ｙ，θ）とする。
【０１３２】
各特徴部位に設定する評価関数は、上記のようにして生成した個別の評価関数ｆ１ａ（ｘ，ｙ，θ）、ｆ１ｂ（ｘ，ｙ，θ）、ｆ２ａ（ｘ，ｙ，θ）、ｆ２ｂ（ｘ，ｙ，θ）を組み合わせて生成する。
【０１３３】
たとえば、基準ａに基づく評価と基準ｂに基づく評価とが同時に高評価の場合に、一層高評価になるようにするのであれば、積をとって次のように設定する。
【０１３４】
第１特徴部位ＣＰ１の評価関数Ｆ１（ｘ，ｙ，θ）
Ｆ１（ｘ，ｙ，θ）＝ｆ１ａ（ｘ，ｙ，θ）×ｆ１ｂ（ｘ，ｙ，θ）
第２特徴部位ＣＰ２の評価関数Ｆ２（ｘ，ｙ，θ）
Ｆ２（ｘ，ｙ，θ）＝ｆ２ａ（ｘ，ｙ，θ）×ｆ２ｂ（ｘ，ｙ，θ）
また、たとえば、基準ａに基づく評価と基準ｂに基づく評価とを独立に扱うのであれば、和をとって次のように設定する。
【０１３５】
第１特徴部位ＣＰ１の評価関数Ｆ１（ｘ，ｙ，θ）
Ｆ１（ｘ，ｙ，θ）＝ｆ１ａ（ｘ，ｙ，θ）＋ｆ１ｂ（ｘ，ｙ，θ）
第２特徴部位ＣＰ２の評価関数Ｆ２（ｘ，ｙ，θ）
Ｆ２（ｘ，ｙ，θ）＝ｆ２ａ（ｘ，ｙ，θ）＋ｆ２ｂ（ｘ，ｙ，θ）
あるいは、重み付きの和をとって次のように設定する（ｋ１、ｋ２は重み）。
【０１３６】
第１特徴部位ＣＰ１の評価関数Ｆ１（ｘ，ｙ，θ）
Ｆ１（ｘ，ｙ，θ）＝ｋ１×ｆ１ａ（ｘ，ｙ，θ）＋ｋ２×ｆ１ｂ（ｘ，ｙ，θ）
第２特徴部位ＣＰ２の評価関数Ｆ２（ｘ，ｙ，θ）
Ｆ２（ｘ，ｙ，θ）＝ｋ１×ｆ２ａ（ｘ，ｙ，θ）＋ｋ２×ｆ２ｂ（ｘ，ｙ，θ）
（６）評価値の算出
ある撮影候補位置（ｘ，ｙ）における、ある撮影条件（θ）での評価関数をＦ（ｘ，ｙ，θ）とすると、評価関数Ｆ（Ｘ，Ｙ，θ）は、次式のように設定される。
【０１３７】
Ｆ（Ｘ，Ｙ，θ）＝ΣＦｎ（Ｘ，Ｙ，θ）＝Ｆ１（Ｘ，Ｙ，θ）＋Ｆ２（Ｘ，Ｙ，θ）
したがって、評価関数Ｆ（Ｘ，Ｙ，θ）に評価対象の撮影候補位置及び撮影条件の情報を入力すれば、その評価値を算出できる。以下に評価値の算出例を示す。
【０１３８】
図１１は、撮影候補位置及び撮影条件（撮影方向）の設定の一例を示す図である。
【０１３９】
一例として、図１１に示すように、撮影候補位置を２０箇所、撮影条件（撮影方向）を３つにした例で各撮影候補位置における各撮影条件（撮影方向）の評価値を算出する。
【０１４０】
撮影候補位置（ｘ、ｙ）は、鉛直方向（ｙ方向）に等間隔で４箇所、水平方向（ｘ方向）に等間隔で５箇所の計２０箇所に設定する。図１１において、右下の撮影候補位置を第１の撮影候補位置とし、左上の撮影候補位置を第２０の撮影候補位置とする。
【０１４１】
撮影条件である撮影方向（θ）は、４５°、９０°、１３５°に設定する。９０°が鉛直方向下向きの撮影方向とする。
【０１４２】
第１特徴部位ＣＰ１の評価関数Ｆ１（ｘ，ｙ，θ）をＦ１（ｘ，ｙ，θ）＝ｆ１ａ（ｘ，ｙ，θ）×ｆ１ｂ（ｘ，ｙ，θ）、第２特徴部位ＣＰ２の評価関数Ｆ２（ｘ，ｙ，θ）をＦ２（ｘ，ｙ，θ）＝ｆ２ａ（ｘ，ｙ，θ）×ｆ２ｂ（ｘ，ｙ，θ）とする。すなわち、評価関数ｆｎａで得られる評価と評価関数ｆｎｂで得られる評価とが同時に高評価の場合に一層高評価になるように、各特徴部位の評価関数Ｆｎを設定する（ｎ＝１，２）。
【０１４３】
本例では、第１特徴部位ＣＰ１の撮影に好適な撮影距離Ｄ１を１４０、第２特徴部位ＣＰ２の撮影に好適な撮影距離Ｄ２を１４０とする。
【０１４４】
図１２は、撮影方向が４５°の場合に各撮影候補位置で得られる評価値の一覧を示す表である。図１３は、撮影方向が９０°の場合に各撮影候補位置で得られる評価値の一覧を示す表である。図１４は、撮影方向が１３５°の場合に各撮影候補位置で得られる評価値の一覧を示す表である。
【０１４５】
図１２から図１４に示す表において、「撮影候補位置」の欄は、撮影候補位置の番号（図１１参照）と、その座標（ｘ、ｙ）を表わしている。
【０１４６】
「特徴部位」の欄は、特徴部位の番号を示している。「１」が第１特徴部位、「２」が第２特徴部位を表わしている。
【０１４７】
「距離」の欄は、各特徴部位に対する各撮影候補位置の距離を表わしている。
【０１４８】
「位置評価」の欄は、基準ａ（撮影位置に関する評価基準）に基づく評価関数ｆｎａで算出される評価値を表わしている。
【０１４９】
「方向」の欄は、各撮影候補位置と各特徴部位とを結ぶ直線の角度を表わしている。
【０１５０】
「方向評価」の欄は、基準ｂ（撮影方向に関する評価基準）に基づく評価関数ｆｎｂで算出される評価値を表わしている。
【０１５１】
「個別評価値」の欄は、各特徴部位での評価値を表わしている。本例では、第１特徴部位ＣＰ１に関して、Ｆ１（ｘ，ｙ，θ）＝ｆ１ａ（ｘ，ｙ，θ）×ｆ１ｂ（ｘ，ｙ，θ）で算出され、第２特徴部位ＣＰ２に関して、Ｆ２（ｘ，ｙ，θ）＝ｆ２ａ（ｘ，ｙ，θ）×ｆ２ｂ（ｘ，ｙ，θ）で算出される。
【０１５２】
「評価値」の欄は、各撮影候補位置での評価値を表わしている。上記のように、評価値は、各特徴部位での個別評価の総和であるので、Ｆ（Ｘ，Ｙ，θ）＝Ｆ１（Ｘ，Ｙ，θ）＋Ｆ２（Ｘ，Ｙ，θ）で算出される。
【０１５３】
（７）撮影評価マップの生成
評価値の算出結果に基づいて、撮影評価マップを生成する。
【０１５４】
図１５は、撮影評価マップのデータ構造の一例を示す図である。
【０１５５】
同図に示すように、各撮影候補位置（ｘ，ｙ）において、撮影条件（撮影方向）別に求められた評価値が、撮影候補位置の情報及び撮影条件（撮影方向）の情報に関連付けられて記録される。本例では、その評価値を求めた際の個別評価値の情報も記録している。
【０１５６】
本例では、撮影候補位置を２０箇所、撮影条件として撮影方向を３方向設定しているので、２０×３＝６０の評価値を備えた撮影評価マップが生成される。すなわち、６０通りの撮影を評価した撮影評価マップが生成される。
【０１５７】
（８）撮影評価マップの出力
生成された撮影評価マップを所定の出力フォーマットで出力装置に出力する。
【０１５８】
図１６から図１８は、各撮影候補位置で得られる評価値を撮影条件別にグラフ化して出力する場合の一例を示す図である。図１６は、撮影方向が４５°の場合に各撮影候補位置で得られる評価値をグラフ化して出力する場合の一例を示す図である。図１７は、撮影方向が９０°の場合に各撮影候補位置で得られる評価値をグラフ化して出力する場合の一例を示す図である。図１８は、撮影方向が１３５°の場合に各撮影候補位置で得られる評価値をグラフ化して出力する場合の一例を示す図である。
【０１５９】
各図において、グラフに表示された円は、その位置（撮影候補位置）における評価値を示し、直径が大きくなるほど高い評価値であることを示している。
【０１６０】
図１６から図１８に示すように、グラフ化することにより、高い評価値が得られる条件（撮影候補位置及び撮影条件）を容易に把握できる。
【０１６１】
たとえば、撮影方向が４５°の条件では、図１６から撮影候補位置（０，１００）での撮影が最も高評価であることが分かる。
【０１６２】
また、撮影方向が９０°の条件では、図１７から撮影候補位置（７５，１００）及び撮影候補位置（−７５，１００）での撮影が最も高評価であることが分かる。
【０１６３】
また、撮影方向が１３５°の条件では、図１８から撮影候補位置（０，１００）での撮影が最も高評価であることが分かる。
【０１６４】
［撮影評価マップ生成装置の変形例］
《座標空間設定部の変形例》
上記のように、座標空間設定部３１は、三次元構造物を被写体とする場合、その三次元モデルデータの入力を受け付けて、座標空間を設定する。
【０１６５】
三次元モデルについては、ＳｆＭ（Structure from Motion）などの公知の手法を用いて生成することができる。ＳｆＭとは、 被写体を複数の視点から撮影した複数の画像（複視点の画像）から被写体の三次元モデルを再現する手法である。
【０１６６】
撮影評価マップ生成装置で被写体の三次元モデルを生成する機能を実現する場合、撮影評価マップ生成装置には、被写体を複数の視点から撮影した複数の画像を取得する被写体画像取得部、及び、得られた複数の画像に基づいて、被写体の三次元モデルを生成する三次元モデル生成部が更に備えられる。被写体画像取得部及び三次元モデル生成部は、コンピュータが所定のプログラムを実行することにより実現される。三次元モデル生成部は、たとえば、ＳｆＭ等の公知の手法を用いて、三次元モデル（たとえば、三次元メッシュモデル）を生成する。
【０１６７】
座標空間設定部３１は、三次元モデル生成部で生成された被写体の三次元モデルの情報を取得し、得られた三次元モデルに基づいて、座標空間を設定する。
【０１６８】
《撮影候補位置設定部の変形例》
撮影候補位置設定部３２で設定する撮影候補位置は、撮影対象、撮影目的等を考慮して設定することが好ましい。また、撮影候補位置は、手動で設定する構成とすることもできる。更に、撮影候補位置は、直線上を移動して撮影する場合を考慮して、直線上に設定する構成としてもよい。また、平面内を移動して撮影する場合を考慮して、平面内に設定する構成としてもよい。
【０１６９】
《撮影条件設定部の変形例》
撮影条件設定部３３で設定する撮影条件は、被写体に応じて自動的に設定されるようにしてもよいし、ユーザが適宜設定できるようにしてもよい。また、被写体に応じて自動的に設定された撮影条件に対して、ユーザが適宜修正してもよい。自動で設定する場合は、撮影対象、撮影の目的等を考慮して、必要な撮影条件を自動的に選別することが好ましい。
【０１７０】
また、撮影条件は、必ずしも複数である必要はなく、少なくとも１つ設定されていればよい。使用する機材によっては、撮影条件を変えられない場合もあるからである。この場合、設定された１つの撮影条件に基づく、撮影候補位置ごとの撮影の評価が定められた撮影評価マップが生成される。
【０１７１】
また、複数の撮影条件を設定する場合、１つの項目について、内容の異なる複数の撮影条件を設定することができる。たとえば、上記実施の形態で説明したように、撮影方向の異なる複数の撮影条件を設定することができる。これにより、同じ撮影候補位置に対して、撮影方向が異なる複数の評価値が得られる。これにより、たとえば、撮影方向を切り換える機能を備えた機材で撮影する際に、その撮影プランの策定を容易にできる。
【０１７２】
この他、撮影画角を変えた複数の撮影条件を設定してもよい。これにより、同じ撮影候補位置に対して、撮影画角が異なる複数の評価値が得られる。これにより、たとえば、撮影画角を切り換える機能（ズーム機能）を備えた機材で撮影する際に、その撮影プランの策定を容易にできる。なお、撮影画角を変えることは、焦点距離を変えることと同義である。
【０１７３】
また、記録画素数を変えた複数の撮影条件を設定してもよい。これにより、同じ撮影候補位置に対して、記録画素数が異なる複数の評価値が得られる。これにより、撮影に適した機材の選択等を容易にできる。なお、記録画素数とは、撮影した画像をメディアに記録する際の画素数である。ここでは、解像度と同義である。すなわち、記録画素数が大きいほど高解像度での撮影となる。
【０１７４】
更に、露出補正量を変えた複数の撮影条件を設定してもよい。これにより、同じ撮影候補位置に対して、露出補正量が異なる複数の評価値が得られる。これにより、たとえば、露出補正が可能な機材で撮影する際に、その撮影プランの策定を容易にできる。
【０１７５】
また、動画撮影する場合において、フレームレートを変えた複数の撮影条件を設定してもよい。これにより、同じ撮影候補位置に対して、フレームレートの異なる複数の評価値が得られる。これにより、撮影に適した機材の選択等を容易にできる。
【０１７６】
《特徴部位設定部の変形例》
上記のように、被写体の有用な「見え」となる部位（点、線及び領域）が、特徴部位とされる。特徴部位は、撮影対象、撮影目的等考慮して設定することが好ましい。上記のように、構造物の点検を目的とした撮影では、被写体の立体形状（頂点、稜線等）、表面のテクスチャ（表面の汚れ、ひび割れ等の劣化部位など）が代表的な特徴部位とされる。
【０１７７】
特徴部位の設定には、種々の手法を採用できる。以下、その一例について説明する。
【０１７８】
〈手動で特徴部位を設定する場合〉
被写体の有用な「見え」となる部位が既知の場合、その部位を手動で設定することができる。
【０１７９】
たとえば、被写体の立体形状（頂点、稜線等）を特徴部位とする場合、被写体となる構造物の設計時のデータ（図面、ＣＡＤ（Computer Aided Design）データ等）から頂点、稜線等の情報を取得し、特徴部位に設定する。また、現物を計測（測量）して、その頂点、稜線の位置及び方位の情報を取得し、特徴部位に設定することもできる。
【０１８０】
また、表面のテクスチャ（表面の汚れ、ひび割れ等の劣化部位等）を特徴部位とする場合は、被写体となる構造物の設計時のデータ（図面、ＣＡＤデータ等）から、汚れ、ひび割れ等の劣化現象が生じる可能性のある箇所を推定し、その位置、方位、大きさ（範囲）を特定して、特徴部位を設定することができる。あるいは、現物を目視で観察して、汚れ、ひび割れ等が生じている箇所を見つけ、特徴部位とすることもできる。
【０１８１】
また、過去に当該被写体を撮影している場合には、過去の撮影履歴を参照して、特徴部位を設定することもできる。たとえば、構造物の点検等を目的とした撮影において、過去にも当該構造物を撮影している場合、その過去の撮影履歴を参照して、劣化部位の情報を取得し、特徴部位に設定できる。
【０１８２】
〈自動で特徴部位を設定する場合〉
自動で特徴部位を設定する場合は、被写体から特徴部位となる部位を自動で抽出し、特徴部位に設定できる。たとえば、構造物の点検等を目的として撮影評価マップを生成する場合、次のステップで特徴部位の設定を行うことができる。
【０１８３】
第１ステップ：まず、被写体を複数の視点から撮影した複数の画像を取得する。
【０１８４】
第２ステップ：次に、得られた画像群から被写体の三次元構造又は形状の推定に有用な頂点及び稜線を抽出する。また、被写体の表面形状に関連するテクスチャー（汚れ、ひび割れ等に限らない）を抽出する。抽出の処理は、公知の画像認識技術を利用する。
【０１８５】
第３ステップ：次に、上記第２ステップで得られた情報に基づいて、被写体の三次元構造又は形状を推定する。
【０１８６】
第４ステップ：次に、上記第３ステップで得られた被写体の三次元構造又は形状から、点検に有用な要素（有用な「見え」）を画像処理で抽出する。たとえば、画像認識技術により、汚れ、ひび割れ等を認識し、点検に有用な要素を抽出する。抽出された要素の位置、方位及び範囲（大きさ）を特定し、特徴部位に設定する。
【０１８７】
また、次のステップで特徴部位の設定を行うこともできる。
【０１８８】
第１ステップ：まず、被写体を複数の視点から撮影した複数の画像を取得する。
【０１８９】
第２ステップ：次に、得られた画像群からＳｆＭなどの手法で粗く特徴点を検出し、点群データを得る。
【０１９０】
第３ステップ：次に、得られた点群データから点群の分布を解析して、三次元メッシュモデルを生成する。
【０１９１】
第４ステップ：生成された三次元メッシュモデルから頂点、稜線を抽出し、特徴部位に設定する。
【０１９２】
本構成の場合、撮影評価マップ生成装置には、被写体を複数の視点から撮影した複数の画像を取得する被写体画像取得部、及び、得られた複数の画像に基づいて、被写体の三次元モデルを生成する三次元モデル生成部が、更に備えられる。被写体画像取得部、三次元モデル生成部及び特徴部位抽出部は、コンピュータが所定のプログラムを実行することにより実現される。
【０１９３】
この他、たとえば、学習済みのモデルを利用して、被写体を複数の視点から撮影した複数の画像、及び、その画像群から生成される三次元モデルデータの情報から、特徴部位となり得る部位を抽出する構成としてもよい。
【０１９４】
また、過去に当該被写体を撮影している場合には、過去の撮影履歴を参照して、特徴部位を設定することもできる。たとえば、構造物の点検等を目的とした撮影において、過去にも当該構造物を撮影している場合、その過去の撮影情報を取得し、得られた情報から劣化部位の情報を自動的に抽出して、特徴部位を自動で設定してもよい。
【０１９５】
自動で特徴部位の設定を行った場合は、必要に応じてユーザが手動で特徴部位の追加、削除等を行ってもよい。すなわち、自動と手動とを組み合わせて、特徴部位の設定を行ってもよい。これにより、相互の欠点を補完して、効率よく特徴部位を設定することができる。
【０１９６】
〈評価基準設定部の変形例〉
評価基準は、手動で設定する構成としてもよいし、自動で設定する構成としてもよい。
【０１９７】
上記のように、被写体の三次元モデルを生成して、特徴部位を設定する場合は、評価基準も自動で設定することが好ましい。すなわち、生成された三次元モデルに基づいて、自動で評価基準を設定することが好ましい。たとえば、三次元メッシュモデルを生成する場合、生成された三次元メッシュモデルのメッシュの向きを解析することにより、各特徴部位の評価基準を設定することができる。たとえば、メッシュの向きが分散している箇所（凹凸の激しい箇所）の特徴部位は、正面だけでなく斜め方向からの撮影に対して高評価となるように、評価基準を設定する。
【０１９８】
また、三次元モデルに基づいて、各特徴部位の評価基準を設定する場合は、三次元モデルの生成の処理過程で得られる特徴点の情報も利用して、各特徴部位の評価基準を設定することが好ましい。たとえば、検出された特徴点の密度の情報を利用して、各特徴部位の評価基準を設定することができる。たとえば、特徴点の密度の高い箇所の特徴部位では、高解像度な撮影ほど高評価となるように、評価基準を設定する。
【０１９９】
評価基準の設定の際には、撮影対象、撮影目的等を考慮することが好ましい。撮影対象によって良好とされる画像は異なるからである。また、同じ被写体を撮影する場合であっても、目的が異なれば、良好とされる画像も異なるからである。たとえば、汚れ、ひび割れのように、画像的な情報が必要な特徴部位では、高解像なほど高評価になるような評価基準が設定される。また、構造的な情報（三次元形状、変形など）が必要な特徴部位では、正面だけでなく斜め方向からの撮影に対して高評価になるように、評価基準が設定される。更に、構造上あるいは過去の損傷履歴などから、必ず撮影されるべき地点の特徴部位には、その特徴部位が確実に写されるような条件（撮影位置及び／又は撮影方向）に対して高評価になるように、評価基準が設定される。
【０２００】
評価関数については、上記実施の形態で説明したように、評価する基準を定め、定められた基準ごとに関数を設定し、設定された関数を適宜組み合わせることで生成できる。位置と、撮影方向と、撮影画角とを評価する場合、位置を評価する関数と、撮影方向を評価する関数と、撮影画角を評価する関数を設定し、設定した関数を組み合わせて１つの評価関数を生成する。組み合わせ方は、評価の態様に応じて設定する。各項目が同時に高評価の場合に一層高評価となるようにするならば、各関数の積を取った評価関数を生成する。各項目の評価を独立に扱う場合は、各関数の和を取った評価関数を生成する。また、特定の項目を重要視する場合は、重みを付与して、評価関数を生成する。たとえば、上記例において、撮影方向を重要視する場合は、撮影方向を評価する関数について、相対的に高い重みを付与し、各関数の和を取った評価関数を生成する。
【０２０１】
〈評価値算出部の変形例〉
上記のように、評価値は、すべての特徴部位で得られる評価値（個別評価値）の総和として算出される。この評価値を算出する際、各特徴部位に重みを付与してもよい。たとえば、構造物の点検等を目的として撮影評価マップを生成する場合において、構造物の表面の劣化部位（汚れ、ひび割れ等）を特徴部位とする場合、当該劣化部位に対して、相対的に高い重みを付与して、評価値を算出するようにしてもよい。あるいは、注目すべき部位として指定された特徴部位に対して、相対的に高い重みを付与して、評価値を算出するようにしてもよい。
【０２０２】
特徴部位ごとに重みを付与して評価値を算出する場合、撮影評価マップ生成装置には、重み設定部が更に備えられる。重み設定部は、特徴部位ごとに重みを設定する。重み設定部は、コンピュータが所定のプログラムを実行することにより実現される。重みが設定された場合、評価値算出部３６は、評価値を算出する際、得られた特徴部位ごとの個別評価値に重みを乗じた総和を評価値として算出する。
【０２０３】
たとえば、構造物の点検等を目的として撮影評価マップを生成する場合、重み付与部は、特徴部位として設定された劣化部位の情報を取得し、劣化部位に対して相対的に高い重みを付与する。また、過去の撮影情報を取得できる場合は、過去の撮影情報を利用して、各特徴部位に重みを付与することもできる。たとえば、過去の撮影情報から必ず撮影されるべき地点の特徴部位は、相対的に高い重みを付与する。同様に、過去の損傷履歴の情報などを取得できる場合は、その情報から適宜特徴部位に重みを付与することができる。
【０２０４】
また、注目部位に対して相対的に高い重みを付与する場合は、別途、注目部位選択部を備える。注目部位選択部は、設定された複数の特徴部位の中から注目する部位（注目部位）を選択する処理を行う。選択は、たとえば、設定された複数の特徴部位をディスプレイ２２に表示させ、注目部位とする特徴部位をユーザに選択させることにより行う。重み付与部は、選択された注目部位に対して相対的に高い重みを付与する。
【０２０５】
このように重みを付与して評価値を算出することにより、重要度に応じた評価が得られ、重要度に応じた撮影評価マップが生成される。これにより、より容易に撮影プランを生成できる。
【０２０６】
なお、各特徴部位に付与する重みは、手動で付与する構成としてもよい。また、設定した重みは、適宜、調整できるようにすることが好ましい。
【０２０７】
〈撮影評価マップ生成部の変形例〉
撮影評価マップ生成部３７で生成する撮影評価マップは、少なくとも評価値の情報と、その評価値が算出された撮影候補位置及び撮影条件の情報とが、含まれていればよい。更に、有用な情報を評価値に関連付けて記録することにより、より有用な撮影評価マップを生成できる。
【０２０８】
〈撮影評価マップ出力処理部の変形例〉
生成された撮影評価マップは、必ずしも表示する必要はなく、データとして出力するようにしてもよい。この場合、データを取得した外部の装置で表示等の処理、撮影評価マップを利用した撮影プランの生成処理等が行われる。
【０２０９】
◆◆撮影装置◆◆
撮影評価マップには、特定の位置から特定の撮影条件で被写体を撮影した場合の撮影の評価を表わす評価値が、複数の撮影候補位置について、複数の撮影条件ごとに定められている。したがって、この撮影評価マップを参酌することにより、どの位置から、どのような撮影条件で撮影すれば、良好な画像が撮影できるかを判別できる。
【０２１０】
以下、この撮影評価マップを利用した、撮影方法について説明する。
【０２１１】
［撮影装置の第１の実施の形態］
ここでは、撮影評価マップから被写体の撮影に適した撮影ポイントと、その撮影ポイントでの撮影条件を自動的に選定する場合を例に説明する。特に、本実施の形態では、構造物の点検を目的とした撮影を行う場合を例に説明する。
【０２１２】
《撮影装置のハードウェア構成》
撮影装置は、所定の撮影プログラムをインストールしたコンピュータで構成される。そのハードウェア構成は、上述した撮影評価マップ生成装置のハードウェア構成と実質的に同じである（図１参照）。したがって、ここでは、その具体的な構成についての説明は省略する。
【０２１３】
《撮影装置が実現する機能》
図１９は、撮影装置が実現する機能のブロック図である。
【０２１４】
同図に示すように、撮影装置１００は、撮影評価マップを取得する撮影評価マップ取得部１０１、取得した撮影評価マップに基づいて撮影ポイント及びその撮影ポイントでの撮影条件を選定する撮影ポイント選定部１０２、及び、選定された撮影ポイント及び撮影条件を出力する出力処理部１０３を備える。
【０２１５】
〈撮影評価マップ取得部〉
撮影評価マップ取得部１０１は、撮影評価マップを取得する。撮影装置として機能するコンピュータが、撮影評価マップ生成装置としても機能する場合は、撮影評価マップ生成装置で生成された撮影評価マップをそのまま撮影評価マップ取得部１０１で取得する。すなわち、撮影評価マップ生成部３７から直接撮影評価マップを取得する。外部の装置から取得する場合は、光学ディスクドライブ１４、通信インターフェース１５、入出力インターフェース１６等を利用して取得する（図１参照）。
【０２１６】
上記のように、本例では、構造物の点検を目的とした撮影を行うので、構造物の点検用の撮影を目的として生成された撮影評価マップが取得される。上記のように、この種の撮影評価マップは、被写体である構造物の立体形状（頂点、稜線等）、表面のテクスチャ（汚れ、ひび割れ等の劣化部位）等が特徴部位として設定される。
【０２１７】
〈撮影ポイント選定部〉
撮影ポイント選定部１０２は、撮影評価マップ取得部１０１が取得した撮影評価マップに基づいて、被写体の撮影に適した撮影ポイント（撮影位置）、及び、その撮影ポイントでの撮影条件を選定する。
【０２１８】
撮影ポイント選定部１０２は、撮影評価マップから、評価値の高い条件（撮影候補位置及び撮影条件の組み合わせ）を抽出し、その条件を満たすように撮影ポイント及び撮影条件を選定する。たとえば、評価値が上位Ｎ個までの条件（撮影候補位置及び撮影条件の組み合わせ）を抽出し、抽出した条件を満たすように、撮影ポイント及び撮影条件を選定する。あるいは、評価値が閾値以上の条件（撮影候補位置及び撮影条件の組み合わせ）を抽出し、抽出した条件を満たすように、撮影ポイント及び撮影条件を選定する。
【０２１９】
一例として、図１５に示す撮影評価マップにおいて、評価値が上位４個の条件（撮影候補位置及び撮影条件の組み合わせ）を抽出すると、次の４つとなる。
【０２２０】
撮影候補位置：（０，１００）  撮影方向：４５°  評価値：０．９９
撮影候補位置：（０，１００）  撮影方向：１３５°  評価値：０．９９
撮影候補位置：（７５，１５０）  撮影方向：９０°  評価値：０．５８
撮影候補位置：（−７５，１５０）  撮影方向：９０°  評価値：０．５８
抽出した条件（撮影候補位置及び撮影条件の組み合わせ）を満たすように、撮影ポイント及び撮影条件を選定する。
【０２２１】
最もシンプルな選定方法は、抽出した撮影候補位置及びその撮影条件をそのまま撮影ポイント及びその撮影条件に設定する方法である。この場合、次のように撮影ポイント及び撮影条件が選定される。
【０２２２】
（Ａ）位置（０，１００）、撮影方向４５°
（Ｂ）位置（０，１００）、撮影方向１３５°
（Ｃ）位置（７５，１５０）、撮影方向９０°
（Ｄ）位置（−７５，１５０）、撮影方向９０°
この他、更に、撮影の自由度、撮影に好適な撮影距離、撮影に要するコスト（特に、撮影条件を変更する際に要するコスト（移動に要するコスト、撮影方向を変えるのに要するコスト等））等の情報を考慮して、撮影ポイント及び撮影条件を選定することもできる。これにより、よりユーザの要求に適合した撮影ポイント及び撮影条件を選定できる。
【０２２３】
たとえば、撮影方向を９０°に限定する場合、位置（７５，１５０）及び位置（−７５，１５０）が好適な撮影ポイントとされる。更に、撮影に好適な撮影距離を考慮すると、位置（ｘ１，Ｄ１）及び位置（ｘ２，Ｄ２）が好適な撮影ポイントとされる（第１特徴部位ＣＰ１の座標位置を（ｘ１，ｙ１）、第１特徴部位ＣＰ１の撮影に好適な撮影距離Ｄ１、第２特徴部位ＣＰ２の座標位置を（ｘ２，ｙ２）、第２特徴部位ＣＰ２の撮影に好適な撮影距離Ｄ２とする。）。
【０２２４】
また、撮影に要するコストを考慮すると、一箇所での撮影が最も消費エネルギが少なくコストの低い撮影となる。この場合、位置（０，１００）において撮影方向を変える撮影が好適な条件とされる。すなわち、位置（０，１００）において、撮影方向４５°で行う撮影と撮影方向１３５°で行う撮影が、好適な条件とされる。更に、各特徴部位の撮影に好適な撮影距離を考慮して、撮影ポイントを選定することもできる。
【０２２５】
一般に、ドローンを用いた撮影では、撮影方向を変えるのに要するコストよりも移動するコストの方が高い（電力消費量が大きい）。移動についても、上昇＞水平飛行＞ホバリング＞降下の順で電力を消費する。
【０２２６】
〈出力処理部〉
出力処理部１０３は、撮影ポイント選定部１０２で選定された撮影ポイント及び撮影条件を所定の出力フォーマットで出力する。
【０２２７】
図２０は、選定された撮影ポイント及び撮影条件をディスプレイに出力する場合の一例を示す図である。
【０２２８】
同図に示すように、撮影ポイントとして選定された撮影候補位置と、その撮影条件がディスプレイ２２に表示される。本例では、撮影条件である撮影方向の情報が、各撮影候補位置から延びる矢印の方向で示されている。
【０２２９】
このように、撮影ポイント及び撮影条件を表示することにより、撮影に適した撮影ポイント、及び、その撮影条件を容易に把握できる。
【０２３０】
図２１から図２３は、選定された撮影ポイント及び撮影条件をディスプレイに出力する場合の他の一例を示している。
【０２３１】
図２１から図２３は、選出された撮影ポイントを撮影条件別に表示する場合の例を示している。図２１は、撮影方向が４５°の場合の表示例を示している。図２２は、撮影方向が９０°の場合の表示例を示している。図２３は、撮影方向が１３５°の場合の表示例を示している。
【０２３２】
選出される撮影ポイントが多い場合には、このように撮影条件別に表示することにより、選出された条件を判別しやすくできる。
【０２３３】
《撮影装置の作用》
図２４は、撮影ポイント及び撮影条件の選出の処理の手順を示すフローチャートである。
【０２３４】
まず、撮影評価マップを取得する（ステップＳ１１）。次に、取得した撮影評価マップに基づいて、被写体の撮影に適した撮影ポイント、及び、撮影ポイントでの撮影条件を選定する（ステップＳ１２）。次に、選出した撮影ポイント及び撮影条件を出力する（ステップＳ１３）。ユーザは、出力された撮影ポイント及び撮影条件の情報に基づいて、撮影プランを策定する。
【０２３５】
撮影プランの策定の際には、移動ルートの選定も行う。移動ルートの選定には、たとえば、公知の組み合わせ最適化問題を解くアルゴリズムを採用できる。たとえば、巡回セールスマン問題を解くアルゴリズムを採用して、移動ルートを選定することができる。
【０２３６】
《変形例》
撮影ポイント及び撮影条件の選定には、たとえば、評価マップに基づく学習用データセットを利用して生成した学習済みモデルを利用してもよい。
【０２３７】
［撮影装置の第２の実施の形態］
《撮影装置が実現する機能》
図２５は、第２の実施の形態の撮影装置が実現する機能のブロック図である。
【０２３８】
同図に示すように、本実施の形態の撮影装置１００は、使用する撮影機材の情報を取得する撮影機材情報取得部１０４を更に備え、使用する撮影機材の情報を考慮して撮影ポイント及び撮影条件を選定する点で、上記第１の実施の形態の撮影装置１００と相違する。したがって、以下においては、上記第１の実施の形態の撮影装置との相違点についてのみ説明する。
【０２３９】
〈撮影機材情報取得部〉
撮影機材情報取得部１０４は、使用する撮影機材の情報を取得する。ここで、撮影機材の情報とは、撮影機材の仕様等の情報である。たとえば、レンズ交換式のデジタルカメラを使用する場合、カメラ本体の仕様の情報、装着するレンズの仕様の情報等である。カメラ本体の仕様の情報には、イメージセンサのサイズの情報、有効画素数の情報、設定可能な感度の情報、設定可能な露出補正量の情報、手振れ補正機能の有無の情報、選択可能なシャッタ速度の情報、連写速度の情報等、撮影に及ぼすカメラ本体の種々の情報が含まれる。また、レンズの仕様の情報には、焦点距離の情報、設定可能な絞り値の情報、ズーム倍率の情報、手振れ補正機能の有無の情報等、撮影に及ぼすレンズの種々の情報が含まれる。
【０２４０】
また、撮影機材の情報には、撮影可能時間、撮影可能枚数及び使用可能時間の情報が含まれる。撮影可能時間とは、動画を撮影できる時間を意味する。動画を撮影できる時間は、撮影機材に搭載されているメディアの容量及び記録画質等によって定まる。また、撮影可能枚数とは、静止画を撮影できる枚数を意味する。静止画を撮影できる枚数は、撮影機材に搭載されているメディアの容量、記録画質等によって定まる。使用可能時間とは、撮影機材を使用できる時間を意味する。撮影機材を使用できる時間は、撮影機材に搭載されているバッテリの容量等によって定まる。
【０２４１】
撮影機材情報取得部１０４は、所定の入力画面をディスプレイ２２に表示し、使用する撮影機材の情報の入力を受け付ける。ユーザは、キーボード２０、マウス２１等の入力装置を利用して、使用する撮影機材の情報を入力する。撮影機材情報取得部１０４は、入力された情報を使用する撮影機材の情報として取得する。
【０２４２】
あるいは、使用する撮影機材の機種の情報（製品名、型番等）の入力を受け付け、所定のデータベースを参照して、使用する撮影機材の情報を取得する。
【０２４３】
〈撮影ポイント選定部〉
撮影ポイント選定部１０２は、撮影評価マップ取得部１０１が取得した撮影評価マップ及び撮影機材情報取得部１０４が取得した撮影機材の情報に基づいて、被写体の撮影に適した撮影ポイント、及び、その撮影ポイントでの撮影条件を選定する。すなわち、更に撮影機材の情報を考慮して、撮影に適した撮影ポイント及び撮影条件を選定する。使用する撮影機材によっては、実施できない撮影もあるからである。
【０２４４】
《撮影装置の作用》
図２６は、撮影ポイント及び撮影条件の選出処理の手順を示すフローチャートである。
【０２４５】
まず、撮影評価マップを取得する（ステップＳ２１）。次に、使用する撮影機材の情報を取得する（ステップＳ２２）。次に、取得した撮影評価マップ及び撮影機材の情報に基づいて、被写体の撮影に適した撮影ポイント、及び、撮影ポイントでの撮影条件を選定する（ステップＳ２３）。次に、選出した撮影ポイント及び撮影条件を出力する（ステップＳ２４）。ユーザは、出力された撮影ポイント及び撮影条件の情報に基づいて、撮影プランを策定する。
【０２４６】
本実施の形態の撮影装置によれば、使用する撮影機材を考慮して、撮影に適した撮影ポイント及び撮影条件が選出されるため、より撮影プランの策定を容易にできる。
【０２４７】
《変形例》
撮影機材情報取得部１０４において、使用可能な複数の撮影機材の情報を取得し、取得した複数の撮影機材の情報に基づいて、撮影に適した撮影ポイント及び撮影条件を選出する構成としてもよい。
【０２４８】
この場合、撮影機材ごとに撮影に適した撮影ポイント及び撮影条件を選出する構成としてもよい。また、使用可能な撮影機材の中から最も撮影に適した撮影機材を選別し、選別した撮影機材に基づいて、撮影に適した撮影ポイント及び撮影条件を選出する構成としてもよい。
【０２４９】
［撮影装置の第３の実施の形態］
《撮影装置が実現する機能》
図２７は、第３の実施の形態の撮影装置が実現する機能のブロック図である。
【０２５０】
同図に示すように、本実施の形態の撮影装置１００は、使用する移動機材の情報を取得する移動機材情報取得部１０５を更に備え、使用する撮影機材の情報を更に考慮して撮影ポイント及び撮影条件を選定する点で、上記第２の実施の形態の撮影装置１００と相違する。したがって、以下においては、上記第２の実施の形態の撮影装置との相違点についてのみ説明する。
【０２５１】
〈移動機材情報取得部〉
移動機材情報取得部１０５は、使用する移動機材の情報を取得する。ここでの移動機材とは、撮影機材を移動させる機材の情報である。たとえば、ドローンを使用して撮影する場合は、ドローンが移動機材となる。移動機材には、この他、無人走行する車、無人航行する船舶、歩行するロボット等の各種移動手段が含まれる。また、人が手持ちで撮影する場合には、人が移動機材となる。
【０２５２】
また、移動機材の情報には、その移動機材の使用可能時間の情報が含まれる。たとえば、ドローンであれば、飛行可能時間の情報が含まれる。更に、移動機材の情報には、搭載される撮影機材の撮影方向の制御機能の有無の情報が含まれる。すなわち、搭載された撮影機材の撮影方向（レンズ光軸の向き）を切り換える機能の有無の情報が含まれる。
【０２５３】
移動機材情報取得部１０５は、所定の入力画面をディスプレイ２２に表示し、使用する移動機材の情報の入力を受け付ける。ユーザは、キーボード２０、マウス２１等の入力装置を利用して、使用する移動機材の情報を入力する。移動機材情報取得部１０５は、入力された情報を使用する移動機材の情報として取得する。
【０２５４】
あるいは、使用する移動機材の機種の情報（製品名、型番等）の入力を受け付け、所定のデータベースを参照して、使用する移動機材の情報を取得する。
【０２５５】
〈撮影ポイント選定部〉
撮影ポイント選定部１０２は、撮影評価マップ取得部１０１が取得した撮影評価マップ、撮影機材情報取得部１０４が取得した撮影機材の情報、及び、移動機材情報取得部１０５が取得した移動機材の情報に基づいて、被写体の撮影に適した撮影ポイント、及び、その撮影ポイントでの撮影条件を選定する。すなわち、更に移動機材の情報を考慮して、撮影に適した撮影ポイント及び撮影条件を選定する。使用する移動機材によっては、実施できない撮影もあるからである。
【０２５６】
《撮影装置の作用》
図２８は、撮影ポイント及び撮影条件の選出処理の手順を示すフローチャートである。
【０２５７】
まず、撮影評価マップを取得する（ステップＳ３１）。次に、使用する撮影機材の情報を取得する（ステップＳ３２）。次に、使用する移動機材の情報を取得する（ステップＳ３３）。次に、取得した撮影評価マップ、撮影機材及び移動機材の情報に基づいて、被写体の撮影に適した撮影ポイント、及び、撮影ポイントでの撮影条件を選定する（ステップＳ３４）。次に、選出した撮影ポイント及び撮影条件を出力する（ステップＳ３５）。ユーザは、出力された撮影ポイント及び撮影条件の情報に基づいて、撮影プランを策定する。
【０２５８】
本実施の形態の撮影装置によれば、更に使用する移動機材を考慮して、撮影に適した撮影ポイント及び撮影条件が選出されるため、より撮影プランの策定を容易にできる。
【０２５９】
《変形例》
移動機材情報取得部１０５において、使用可能な複数の撮影機材の情報を取得し、取得した複数の移動機材の情報に基づいて、撮影に適した撮影ポイント及び撮影条件を選出する構成としてもよい。
【０２６０】
この場合、移動機材ごとに撮影に適した撮影ポイント及び撮影条件を選出する構成としてもよい。また、使用可能な移動機材の中から最も撮影に適した移動機材を選別し、選別した移動機材に基づいて、撮影に適した撮影ポイント及び撮影条件を選出する構成としてもよい。
【０２６１】
［撮影装置の第４の実施の形態］
《撮影装置が実現する機能》
図２９は、第４の実施の形態の撮影装置が実現する機能のブロック図である。
【０２６２】
同図に示すように、本実施の形態の撮影装置１００は、選定された撮影ポイント及び撮影条件の情報に基づいて、移動ルートを選定する移動ルート選定部１０６を更に備える点で、上記第３の実施の形態の撮影装置１００と相違する。したがって、以下においては、上記第３の実施の形態の撮影装置との相違点についてのみ説明する。
【０２６３】
〈移動ルート選定部〉
移動ルート選定部１０６は、撮影ポイント選定部１０２で選定された各撮影ポイントでの撮影に適した移動ルートを選定する。ルートの選定には、たとえば、公知の組み合わせ最適化問題を解くアルゴリズムを採用できる。たとえば、巡回セールスマン問題を解くアルゴリズムを採用して、移動ルートを選定することができる。
【０２６４】
〈出力処理部〉
出力処理部１０３は、撮影ポイント選定部１０２で選定された撮影ポイント及び撮影条件、並びに、移動ルート選定部１０６で選定された移動ルートを所定の出力フォーマットで出力する。
【０２６５】
《撮影装置の作用》
図３０は、撮影ポイント及び撮影条件並びに移動ルートの選出処理の手順を示すフローチャートである。
【０２６６】
まず、撮影評価マップを取得する（ステップＳ４１）。次に、使用する撮影機材の情報を取得する（ステップＳ４２）。次に、使用する移動機材の情報を取得する（ステップＳ４３）。次に、取得した撮影評価マップ、撮影機材及び移動機材の情報に基づいて、被写体の撮影に適した撮影ポイント、及び、撮影ポイントでの撮影条件を選定する（ステップＳ４４）。次に、選定した撮影ポイントに基づいて移動ルートを選定する（ステップＳ４５）。次に、選出した撮影ポイント及び撮影条件並びに移動ルートを出力する（ステップＳ４６）。
【０２６７】
本実施の形態の撮影装置によれば、移動ルートも自動で生成されるので、更に容易に撮影プランを策定できる。
【０２６８】
《変形例》
移動ルート選定部１０６で選定する移動ルートは、必ずしも選定されたすべての撮影ポイントを通過するものである必要はない。最適な撮影ポイント及び撮影条件を更に選定し、選定した撮影ポイント及び撮影条件で撮影が行われるように移動ルートを選定するようにしてもよい。最適な撮影ポイント及び撮影条件の選定の際には、コスト（消費エネルギ）、要求される撮影の粗さ等を考慮することが好ましい。
【０２６９】
また、移動ルート選定部１０６が選定する移動ルートは、複数であってもよい。たとえば、コスト（消費エネルギ）又は撮影の粗さの異なる複数の移動ルートを選定してもよい。複数の移動ルートを選定した場合には、ユーザからの要求に応じて、表示の並びを変更できるようにすることが好ましい。
【０２７０】
［撮影装置の第５の実施の形態］
《撮影装置が実現する機能》
図３１は、第５の実施の形態の撮影装置が実現する機能のブロック図である。
【０２７１】
同図に示すように、本実施の形態の撮影装置１００は、撮影評価マップを取得する撮影評価マップ取得部１０１、使用する撮影機材の情報を取得する撮影機材情報取得部１０４、使用する移動機材の情報を取得する移動機材情報取得部１０５、取得した撮影評価マップ、撮影機材の情報及び移動機材の情報に基づいて、撮影プランを生成する撮影プラン生成部１１０、及び、生成された撮影プランを出力する出力処理部１０３を備える。
【０２７２】
撮影評価マップ取得部１０１、撮影機材情報取得部１０４、移動機材情報取得部１０５の機能は、上記第１から３の実施の形態の撮影装置に備えられた撮影評価マップ取得部１０１、撮影機材情報取得部１０４、移動機材情報取得部１０５の機能と実質的に同じである。したがって、ここでは撮影プラン生成部１１０について説明する。
【０２７３】
〈撮影プラン生成部〉
撮影プラン生成部１１０は、取得した撮影評価マップ、撮影機材の情報及び移動機材の情報に基づいて、撮影プランを生成する。撮影プランは、撮影評価マップから撮影に適した撮影ポイント、その撮影ポイントでの撮影条件、及び、移動ルートを選定して生成する。撮影ポイント及びその撮影ポイントでの撮影条件の選定については、上記撮影ポイント選定部１０２での処理と同じである。また、移動ルートの選定については、上記移動ルート選定部１０６での処理と同じである。
【０２７４】
〈出力処理部〉
出力処理部１０３は、撮影プラン生成部１１０で生成された撮影プランを所定の出力フォーマットで出力する。
【０２７５】
《撮影装置の作用》
図３２は、撮影プランの生成処理の手順を示すフローチャートである。
【０２７６】
まず、撮影評価マップを取得する（ステップＳ５１）。次に、使用する撮影機材の情報を取得する（ステップＳ５２）。次に、使用する移動機材の情報を取得する（ステップＳ５３）。次に、取得した撮影評価マップ、撮影機材及び移動機材の情報に基づいて、被写体の撮影に適した撮影プランを生成する（ステップＳ５４）。次に、生成した撮影プランを出力する（ステップＳ５５）。
【０２７７】
《変形例》
撮影プラン生成部１１０が生成する撮影プランは、複数であってもよい。たとえば、コスト（消費エネルギ）又は撮影の粗さの異なる複数の撮影プランを生成してもよい。また、使用可能な複数の撮影機材及び移動機材の情報を取得して、複数の撮影プランを生成してもよい。複数の撮影プランを生成した場合には、ユーザからの要求に応じて、表示の並びを変更できるようにすることが好ましい。
【０２７８】
［撮影装置の第６の実施の形態］
《撮影装置が実現する機能》
図３３は、第６の実施の形態の撮影装置が実現する機能のブロック図である。
【０２７９】
本実施の形態の撮影装置１００は、撮影評価マップに基づいて、撮影に適した撮影機材を自動的に選定する。
【０２８０】
図３３に示すように、本実施の形態の撮影装置１００は、撮影評価マップを取得する撮影評価マップ取得部１０１、使用可能な撮影機材の情報を取得する撮影機材情報取得部１０４、取得した撮影評価マップ及び使用可能な撮影機材の情報に基づいて、撮影に適した撮影機材を選定する撮影機材選定部１２０、及び、選定された撮影機材の情報を出力する出力処理部１０３を備える。
【０２８１】
撮影評価マップ取得部１０１及び撮影機材情報取得部１０４の機能は、上記第２の実施の形態の撮影装置の撮影評価マップ取得部１０１及び撮影機材情報取得部１０４と実質的に同じである。したがって、以下においては、上記第２の実施の形態の撮影装置との相違点についてのみ説明する。
【０２８２】
〈撮影機材選定部〉
撮影機材選定部１２０は、撮影評価マップ取得部１０１が取得した撮影評価マップ及び撮影機材情報取得部１０４が取得した使用可能な撮影機材の情報に基づいて、撮影に適した撮影機材を選定する。具体的には、評価値の高い撮影条件を抽出し、抽出した撮影条件の撮影が可能な撮影機材を選定する。たとえば、評価値の高い上位Ｎ個の撮影条件を抽出し、抽出した撮影条件の撮影が可能な撮影機材を選定する。あるいは、閾値以上の評価値の撮影条件を抽出し、抽出した撮影条件の撮影が可能な撮影機材を選定する。
【０２８３】
〈出力処理部〉
出力処理部１０３は、撮影機材選定部１２０で選定された撮影機材を推奨撮影機材として所定の出力フォーマットで出力する。
【０２８４】
《撮影装置の作用》
図３４は、推奨する撮影機材の選定処理の手順を示すフローチャートである。
【０２８５】
まず、撮影評価マップを取得する（ステップＳ６１）。次に、使用可能な撮影機材の情報を取得する（ステップＳ６２）。使用可能な撮影機材の情報は、少なくとも1つ取得される。次に、取得した撮影評価マップ及び使用可能な撮影機材の情報に基づいて、被写体の撮影に適した撮影機材を選定する（ステップＳ６３）。次に、選定した撮影機材を推奨撮影機材として出力する（ステップＳ６４）。
【０２８６】
《変形例》
撮影機材選定部１２０が選定する撮影機材は、複数であってもよい。この場合、順位付けして選定することが好ましい。また、組み合わせて使用する移動機材の情報を取得し、取得した移動機材の情報を考慮して、撮影機材を選定してもよい。
【０２８７】
［撮影装置の第７の実施の形態］
《撮影装置が実現する機能》
図３５は、第７の実施の形態の撮影装置が実現する機能のブロック図である。
【０２８８】
本実施の形態の撮影装置１００は、撮影評価マップに基づいて、撮影に適した移動機材を自動的に選定する。
【０２８９】
図３５に示すように、本実施の形態の撮影装置１００は、撮影評価マップを取得する撮影評価マップ取得部１０１、使用可能な複数の移動機材の情報を取得する移動機材情報取得部１０５、取得した撮影評価マップ及び使用可能な移動機材の情報に基づいて、撮影に適した移動機材を選定する移動機材選定部１３０、及び、選定した移動機材の情報を出力する出力処理部１０３を備える。
【０２９０】
撮影評価マップ取得部１０１及び移動機材情報取得部１０５の機能は、上記第３の実施の形態の撮影装置の撮影評価マップ取得部１０１及び移動機材情報取得部１０５と実質的に同じである。したがって、以下においては、上記第３の実施の形態の撮影装置との相違点についてのみ説明する。
【０２９１】
〈移動機材選定部〉
移動機材選定部１３０は、撮影評価マップ取得部１０１が取得した撮影評価マップ及び移動機材情報取得部１０５が取得した使用可能な移動機材の情報に基づいて、撮影に適した移動機材を選定する。具体的には、評価値の高い撮影条件を抽出し、抽出した撮影条件の撮影が可能な移動機材を選定する。たとえば、評価値の高い上位Ｎ個の撮影条件を抽出し、抽出した撮影条件の撮影が可能な移動機材を選定する。あるいは、閾値以上の評価値の撮影条件を抽出し、抽出した撮影条件の撮影が可能な移動機材を選定する。
【０２９２】
〈出力処理部〉
出力処理部１０３は、移動機材選定部１３０で選定された移動機材を推奨移動機材として所定の出力フォーマットで出力する。
【０２９３】
《撮影装置の作用》
図３６は、推奨する移動機材の選定処理の手順を示すフローチャートである。
【０２９４】
まず、撮影評価マップを取得する（ステップＳ７１）。次に、使用可能な移動機材の情報を取得する（ステップＳ７２）。使用可能な移動機材の情報は少なくとも１つ取得される。次に、取得した撮影評価マップ及び使用可能な移動機材の情報に基づいて、被写体の撮影に適した移動機材を選定する（ステップＳ７３）。次に、選定した移動機材を推奨移動機材として出力する（ステップＳ７４）。
【０２９５】
《変形例》
移動機材選定部１３０が選定する移動機材は、複数であってもよい。この場合、順位付けして選定することが好ましい。また、組み合わせて使用する撮影機材の情報を取得し、取得した撮影機材の情報を考慮して、移動機材を選定してもよい。
【０２９６】
［撮影装置の第８の実施の形態］
《撮影装置が実現する機能》
図３７は、第８の実施の形態の撮影装置が実現する機能のブロック図である。
【０２９７】
本実施の形態の撮影装置１００は、撮影評価マップに基づいて、撮影に適した撮影機材及び移動機材を自動的に選定する。
【０２９８】
図３７に示すように、本実施の形態の撮影装置１００は、撮影評価マップを取得する撮影評価マップ取得部１０１、使用可能な撮影機材の情報を取得する撮影機材情報取得部１０４、使用可能な移動機材の情報を取得する移動機材情報取得部１０５、取得した撮影評価マップ、使用可能な撮影機材及び移動機材の情報に基づいて、撮影に適した撮影機材及び移動機材の組み合わせを選定する機材選定部１４０を備える。
【０２９９】
撮影評価マップ取得部１０１、撮影機材情報取得部１０４及び移動機材情報取得部１０５の機能は、上記第３の実施の形態の撮影装置の撮影評価マップ取得部１０１、撮影機材情報取得部１０４及び移動機材情報取得部１０５と実質的に同じである。したがって、以下においては、上記第３の実施の形態の撮影装置との相違点についてのみ説明する。
【０３００】
〈機材選定部〉
機材選定部１４０は、撮影評価マップ取得部１０１が取得した撮影評価マップ、撮影機材情報取得部１０４が取得した使用可能な撮影機材の情報、及び、移動機材情報取得部１０５が取得した使用可能な移動機材の情報に基づいて、撮影に適した撮影機材及び移動機材の組み合わせを選定する。具体的には、評価値の高い撮影条件を抽出し、抽出した撮影条件の撮影が可能な撮影機材及び移動機材の組み合わせを選定する。たとえば、評価値の高い上位Ｎ個の撮影条件を抽出し、抽出した撮影条件の撮影が可能な撮影機材及び移動機材の組み合わせを選定する。あるいは、閾値以上の評価値の撮影条件を抽出し、抽出した撮影条件の撮影が可能な撮影機材及び移動機材の組み合わせを選定する。
【０３０１】
〈出力処理部〉
出力処理部１０３は、移動機材選定部１３０で選定された撮影機材及び移動機材の組み合わせを推奨機材として所定の出力フォーマットで出力する。
【０３０２】
《撮影装置の作用》
図３８は、推奨機材の選定処理の手順を示すフローチャートである。
【０３０３】
まず、撮影評価マップを取得する（ステップＳ８１）。次に、使用可能な撮影機材の情報を取得する（ステップＳ８２）。使用可能な撮影機材の情報は、少なくとも１つ取得される。次に、使用可能な移動機材の情報を取得する（ステップＳ８３）。使用可能な移動機材の情報は少なくとも１つ取得される。次に、取得した撮影評価マップ、使用可能な撮影機材及び移動機材の情報に基づいて、被写体の撮影に適した撮影機材及び移動機材の組み合わせを選定する（ステップＳ８４）。次に、選定した撮影機材及び移動機材の組み合わせを推奨機材として出力する（ステップＳ８５）。
【０３０４】
《変形例》
機材選定部１４０が選定する撮影機材及び移動機材の組み合わせは、複数であってもよい。この場合、順位付けして選定することが好ましい。
【０３０５】
◆◆撮影システム◆◆
以下では、上記撮影装置で選定された条件（撮影ポイント、その撮影ポイントでの撮影条件、及び、移動ルート）、あるいは、撮影プランに従って自動で撮影を実施するシステムについて説明する。
【０３０６】
［撮影システム］
ここでは、ドローンを用いて橋梁等の構造物の点検を目的とした撮影を行う場合を例に説明する。
【０３０７】
図３９は、撮影システムのシステム構成の一例を示す図である。
【０３０８】
同図に示すように、本実施の形態の撮影システム２００は、撮影装置１００、ドローン３００、及び、制御端末４００を備える。
【０３０９】
《撮影装置》
撮影装置１００は、点検対象である被写体の撮影評価マップから撮影プランを生成する。本例では、点検対象である被写体をドローンで撮影するので、ドローン３００を移動機材、ドローン３００に備えられた撮影部を撮影機材として、撮影プランが生成される。
【０３１０】
《ドローン》
ドローン３００は、撮影部３１０を備えた自律移動ロボットの一例である。ドローン３００は、指定された飛行経路に基づいて自動飛行できるように構成され、かつ、指定された条件で自動撮影できるように構成される。この種の機能を備えたドローン等の自律移動ロボット（自律飛行ロボット）は、公知であるので、その具体的な構成についての説明は省略する。
【０３１１】
《制御端末》
制御端末４００は、撮影制御装置の一例である。制御端末４００は、ドローン３００の飛行及び撮影を制御する。具体的には、撮影装置から撮影ポイント、撮影条件及び移動ルートの情報を撮影制御情報として取得し、取得した撮影制御情報に基づいて、ドローン３００の飛行及び撮影を制御する。あるいは、撮影装置から撮影ポイント、撮影条件及び移動ルートの情報を含む撮影プランの情報を取得し、取得した撮影プランの情報に基づいて、ドローン３００の飛行及び撮影を制御する。
【０３１２】
制御端末４００は、たとえば、無線通信機能を備えた携帯型のコンピュータ（タブレット型コンピュータ、ノート型コンピュータ等）で構成され、ドローン３００と無線で通信して、制御情報を含む各種情報を送受信する。
【０３１３】
制御端末４００は、モニタを備え、必要に応じて、ドローン３００が飛行中に撮影している画像をリアルタイムに表示する。
【０３１４】
［撮影システムの作用］
図４０は、撮影システムによる撮影の処理手順を示すフローチャートである。
【０３１５】
まず、撮影評価マップ生成装置１において、点検対象の撮影評価マップを生成する（ステップＳ９１）。撮影評価マップは、点検を目的とした観点で生成する。したがって、特徴部位、各特徴部位に設定する評価基準、撮影条件等は、点検を目的とした観点で設定する。
【０３１６】
次に、得られた撮影評価マップに基づいて、撮影プランを生成する（ステップＳ９２）。撮影装置１００は、点検対象の撮影評価マップを取得し、点検対象の撮影に適した撮影プランを生成する。撮影プランは、撮影ポイント、その撮影ポイントでの撮影条件、及び、移動ルートの情報が含まれる。
【０３１７】
撮影装置１００は、撮影プランを生成する際、使用する撮影機材及び移動機材の情報を取得して、撮影プランを生成する。本例では、撮影機材の情報として、ドローン３００に備えられた撮影部３１０の情報が取得される。また、移動機材の情報として、ドローン３００の情報が取得される。撮影装置１００は、当該ドローン３００を用いた撮影に適した撮影プランを撮影評価マップから生成する。撮影は、静止画の撮影でもよいし、動画の撮影でもよい。また、双方を組み合わせた撮影でもよい。
【０３１８】
次に、生成された撮影プランに基づいて、撮影を実行する（ステップＳ９３）。制御端末４００は、生成された撮影プランの情報を取得し、取得した撮影プランに基づいて、ドローン３００を制御して、生成された撮影プランの撮影を実施する。すなわち、設定された移動ルートに従って移動（飛行）し、設定された撮影ポイント及び撮影条件で撮影を実施する。
【０３１９】
このように、本実施の形態の撮影システムによれば、撮影プランの策定から実際の撮影までを自動化できる。
【０３２０】
［変形例］
上記実施の形態では、ドローンを用いた撮影を例に説明したが、使用する撮影機材、移動機材は、適宜変更できる。
【０３２１】
また、上記実施の形態では、撮影制御装置（制御端末４００）と自律移動ロボット（ドローン３００）とが分かれて構成されているが、自律移動ロボットに撮影制御装置の機能を一体的に備えてもよい。
【０３２２】
また、撮影プランを生成する際には、複数回に分けて撮影を実施するプランを生成してもよい。この場合、使用する撮影評価マップを切り換えてもよい。たとえば、撮影のたびに各特徴部位に付与する重みを変更するようにしてもよい。
【０３２３】
また、前回の撮影の結果をフィードバックして、撮影プランを生成するようにしてもよい。たとえば、一度満足度の高い条件で撮影された特徴部位に対しては、撮影欲求が満たされただろうと解釈して、総合評価で乗じる重みを下げるようにしてもよい。
【０３２４】
◆◆その他の実施の形態◆◆
上記の実施の形態において、コンピュータに実現させている機能は、各種のプロセッサに実現させることができる。各種のプロセッサには、プログラムを実行して各種の処理を行う処理部として機能する汎用的なプロセッサであるＣＰＵ、ＦＰＧＡ（Field Programmable Gate Array）などの製造後に回路構成を変更可能なプロセッサであるＰＬＤ（Programmable Logic Device）、ＡＳＩＣ（Application Specific Integrated Circuit）などの特定の処理を実行させるために専用に設計された回路構成を有するプロセッサである専用電気回路などが含まれる。
【０３２５】
一つの機能は、同種又は異種の二つ以上のプロセッサに実現させてもよい。たとえば、複数のＦＰＧＡで実現させる構成としてもよいし、ＣＰＵ及びＦＰＧＡの組み合わせで実現させる構成としてもよい。
【０３２６】
また、複数の機能を一つのプロセッサで構成してもよい。複数の機能を一つのプロセッサで実現する構成の例としては、第１に、クライアント、サーバなどのコンピュータに代表されるように、一つ以上のＣＰＵとソフトウェアとの組合せで一つのプロセッサを構成し、このプロセッサに複数の機能を実現させる形態がある。第２に、システムオンチップ（SoC：System On Chip）などに代表されるように、複数の機能を一つのＩＣチップ（IC：Integrated Circuit）で実現するプロセッサを使用する形態がある。このように、各種の機能は、ハードウェア的な構造として、上記各種のプロセッサを一つ以上用いて実現される。
【０３２７】
更に、これらの各種のプロセッサのハードウェア的な構造は、より具体的には、半導体素子などの回路素子を組み合わせた電気回路である。
【符号の説明】
【０３２８】
１  撮影評価マップ生成装置
２  ネットワーク
１０  ＣＰＵ（Central Processing Unit）
１１  ＲＯＭ（Read Only Memory）
１２  ＲＡＭ（Random Access Memory）
１３  ハードディスクドライブ（HDD）
１４  光学ディスクドライブ
１５  通信インターフェース
１６  入出力インターフェース
２０  キーボード
２１  マウス
２２  ディスプレイ
２３  プリンタ
３１  座標空間設定部
３２  撮影候補位置設定部
３３  撮影条件設定部
３４  特徴部位設定部
３５  評価基準設定部
３６  評価値算出部
３７  撮影評価マップ生成部
３８  撮影評価マップ出力処理部
１００  撮影装置
１０１  撮影評価マップ取得部
１０２  撮影ポイント選定部
１０３  出力処理部
１０４  撮影機材情報取得部
１０５  移動機材情報取得部
１０６  移動ルート選定部
１１０  撮影プラン生成部
１２０  撮影機材選定部
１３０  移動機材選定部
１４０  機材選定部
２００  撮影システム
３００  ドローン
３１０  撮影部
４００  制御端末
Ｂ  ブロック
ＣＰ１  第１特徴部位
ＣＰ２  第２特徴部位
ＣＳ  座標空間
ＯＢ  被写体
Ｓ  有限の空間
Ｓ１〜Ｓ９  撮影評価マップの生成手順
Ｓ１０〜Ｓ１５  評価値の算出手順
Ｓ２１〜Ｓ２４  撮影ポイント及び撮影条件の選出処理の手順
Ｓ３１〜Ｓ３５  撮影ポイント及び撮影条件の選出処理の手順
Ｓ４１〜Ｓ４６  撮影ポイント及び撮影条件並びに移動ルートの選出処理の手順
Ｓ５１〜Ｓ５５  撮影プランの生成処理の手順
Ｓ６１〜Ｓ６４  推奨する撮影機材の選定処理の手順
Ｓ７１〜Ｓ７４  推奨する移動機材の選定処理の手順
Ｓ８１〜Ｓ８５  推奨機材の選定処理
Ｓ９１〜Ｓ９３  撮影システムによる撮影の処理手順
【図１】
2019171823.tif 000003
【図２】
2019171823.tif 000004
【図３】
2019171823.tif 000005
【図４】
2019171823.tif 000006
【図５】
2019171823.tif 000007
【図６】
2019171823.tif 000008
【図７】
2019171823.tif 000009
【図８】
2019171823.tif 000010
【図９】
2019171823.tif 000011
【図１０】
2019171823.tif 000012
【図１１】
2019171823.tif 000013
【図１２】
2019171823.tif 000014
【図１３】
2019171823.tif 000015
【図１４】
2019171823.tif 000016
【図１５】
2019171823.tif 000017
【図１６】
2019171823.tif 000018
【図１７】
2019171823.tif 000019
【図１８】
2019171823.tif 000020
【図１９】
2019171823.tif 000021
【図２０】
2019171823.tif 000022
【図２１】
2019171823.tif 000023
【図２２】
2019171823.tif 000024
【図２３】
2019171823.tif 000025
【図２４】
2019171823.tif 000026
【図２５】
2019171823.tif 000027
【図２６】
2019171823.tif 000028
【図２７】
2019171823.tif 000029
【図２８】
2019171823.tif 000030
【図２９】
2019171823.tif 000031
【図３０】
2019171823.tif 000032
【図３１】
2019171823.tif 000033
【図３２】
2019171823.tif 000034
【図３３】
2019171823.tif 000035
【図３４】
2019171823.tif 000036
【図３５】
2019171823.tif 000037
【図３６】
2019171823.tif 000038
【図３７】
2019171823.tif 000039
【図３８】
2019171823.tif 000040
【図３９】
2019171823.tif 000041
【図４０】
2019171823.tif 000042
【手続補正書】
【提出日】令和2年10月28日(2020.10.28)
【手続補正１】
【補正対象書類名】明細書
【補正対象項目名】０２３４
【補正方法】変更
【補正の内容】
【０２３４】
まず、撮影評価マップを取得する（ステップＳ１０１）。次に、取得した撮影評価マップに基づいて、被写体の撮影に適した撮影ポイント、及び、撮影ポイントでの撮影条件を選定する（ステップＳ１０２）。次に、選出した撮影ポイント及び撮影条件を出力する（ステップＳ１０３）。ユーザは、出力された撮影ポイント及び撮影条件の情報に基づいて、撮影プランを策定する。
【手続補正２】
【補正対象書類名】明細書
【補正対象項目名】０２５１
【補正方法】変更
【補正の内容】
【０２５１】
〈移動機材情報取得部〉
移動機材情報取得部１０５は、使用する移動機材の情報を取得する。ここでの移動機材とは、撮影機材を移動させる機材である。たとえば、ドローンを使用して撮影する場合は、ドローンが移動機材となる。移動機材には、この他、無人走行する車、無人航行する船舶、歩行するロボット等の各種移動手段が含まれる。また、人が手持ちで撮影する場合には、人が移動機材となる。
【手続補正３】
【補正対象書類名】明細書
【補正対象項目名】０３２８
【補正方法】変更
【補正の内容】
【０３２８】
１  撮影評価マップ生成装置
２  ネットワーク
１０  ＣＰＵ（Central Processing Unit）
１１  ＲＯＭ（Read Only Memory）
１２  ＲＡＭ（Random Access Memory）
１３  ハードディスクドライブ（HDD）
１４  光学ディスクドライブ
１５  通信インターフェース
１６  入出力インターフェース
２０  キーボード
２１  マウス
２２  ディスプレイ
２３  プリンタ
３１  座標空間設定部
３２  撮影候補位置設定部
３３  撮影条件設定部
３４  特徴部位設定部
３５  評価基準設定部
３６  評価値算出部
３７  撮影評価マップ生成部
３８  撮影評価マップ出力処理部
１００  撮影装置
１０１  撮影評価マップ取得部
１０２  撮影ポイント選定部
１０３  出力処理部
１０４  撮影機材情報取得部
１０５  移動機材情報取得部
１０６  移動ルート選定部
１１０  撮影プラン生成部
１２０  撮影機材選定部
１３０  移動機材選定部
１４０  機材選定部
２００  撮影システム
３００  ドローン
３１０  撮影部
４００  制御端末
Ｂ  ブロック
ＣＰ１  第１特徴部位
ＣＰ２  第２特徴部位
ＣＳ  座標空間
ＯＢ  被写体
Ｓ  有限の空間
Ｓ１〜Ｓ９  撮影評価マップの生成手順
Ｓ１０〜Ｓ１５  評価値の算出手順
Ｓ２１〜Ｓ２４  撮影ポイント及び撮影条件の選出処理の手順
Ｓ３１〜Ｓ３５  撮影ポイント及び撮影条件の選出処理の手順
Ｓ４１〜Ｓ４６  撮影ポイント及び撮影条件並びに移動ルートの選出処理の手順
Ｓ５１〜Ｓ５５  撮影プランの生成処理の手順
Ｓ６１〜Ｓ６４  推奨する撮影機材の選定処理の手順
Ｓ７１〜Ｓ７４  推奨する移動機材の選定処理の手順
Ｓ８１〜Ｓ８５  推奨機材の選定処理
Ｓ９１〜Ｓ９３  撮影システムによる撮影の処理手順
Ｓ１０１〜Ｓ１０３ 撮影ポイント及び撮影条件の選出処理の手順
【手続補正４】
【補正対象書類名】図面
【補正対象項目名】図２４
【補正方法】変更
【補正の内容】
【図２４】
2019171823.tif 000043
【国際調査報告】
2019171823.tif 000044
2019171823.tif 000045